(57)【要約】      （修正有）【課題】簡単な構成により検出感度を高めたタッチパネル装置を提供する。【解決手段】タッチパネル装置１は、駆動電極１０４および検出電極１０２を有するタッチパネル１００と、交流信号を第１の電極に入力する交流信号源１１０と、交流信号源１１０と駆動電極１０４との間に電気的に直列接続されたインダクタンス素子１１１と、検出電極１０２と接続される検出回路１１４とを備える。このタッチパネル装置１は、簡単な構成により検出感度を高めることができる。【選択図】図３
2014052997.tif 000002
【特許請求の範囲】
【請求項１】
第１の電極と第２の電極とを有するタッチパネルと、
交流信号を前記第１の電極に入力する交流信号源と、
前記交流信号源と前記第１の電極との間に電気的に直列接続されたインダクタンス素子と、
前記第２の電極と接続される検出回路と、
を備えたタッチパネル装置。
【請求項２】
前記インダクタンス素子は、前記交流信号源に電気的に接続された第１の端と、前記第１の電極に電気的に接続された第２の端とを有し、
前記インダクタンス素子の前記第２の端とグランドとの間に電気的に接続された他のインダクタンス素子を更に備えた、請求項１に記載のタッチパネル装置。
【請求項３】
前記第１の電極とグランドとの間に接続されたコンデンサを更に備えた、請求項１に記載のタッチパネル装置。
【請求項４】
第１の方向に互いに離れて配列され、前記第１の方向と異なる第２の方向へ延在する複数の第１の電極と、
第３の方向に互いに離れて配列され、前記第２の方向かつ前記第３の方向と異なる第４の方向へ延在し、前記複数の第１の電極と交差する複数の第２の電極と、
を有するタッチパネルと、
交流信号を前記複数の第１の電極に入力する交流信号源と、
前記複数の第１の電極のそれぞれと前記交流信号源との間に電気的に直列接続されたインダクタンス素子と、
検出対象物が前記タッチパネルにタッチした際の前記複数の交差点での前記複数の第１の電極のそれぞれと前記複数の第２の電極のそれぞれとの間の静電容量の変化を前記複数の第２の電極から出力される信号の変化により検出する検出回路と、
を備えたタッチパネル装置。
【請求項５】
前記第２の方向は前記第４の方向と直角である、請求項４に記載のタッチパネル装置。
【請求項６】
前記複数の第１の電極と前記インダクタンス素子との接続状態を開放状態と短絡状態の間で切り替える第１の電極切替スイッチと、
前記複数の第２の電極と前記検出回路との接続状態を開放状態と短絡状態の間で切り替える第２の電極切替スイッチと、
前記第１の電極切替スイッチおよび前記第２の電極切替スイッチを制御する制御回路と、
を更に備えた、請求項４に記載のタッチパネル装置。
【請求項７】
前記制御回路は、前記複数の第１の電極のうちの或る第１の電極の前記インダクタンス素子との接続状態を短絡状態にしているときに、前記複数の第１の電極のうちの前記或る第１の電極に隣り合う別の第１の電極をグランドと前記交流信号源とから切り離して開放し、かつ前記複数の第１の電極のうちの前記或る第１の電極と前記別の第１の電極との他の第１の電極をグランドへ接続するように前記第１の電極切替スイッチを制御する、請求項６に記載のタッチパネル装置。
【請求項８】
前記制御回路は、
前記複数の第１の電極のうちの複数の或る第１の電極のそれぞれと前記インダクタンス素子との接続状態を同時に短絡状態に維持し、
前記複数の或る第１の電極の他の第１の電極と前記インダクタンス素子との接続状態を開放状態に維持する、
ように前記第１の電極切替スイッチを制御する、請求項６に記載のタッチパネル装置。
【請求項９】
前記インダクタンス素子は、前記複数の第１の電極と前記交流信号源との間に電気的に直列接続された複数のインダクタンス素子を含み、
前記複数のインダクタンス素子のそれぞれと前記交流信号源との接続状態を開放状態と短絡状態の間で切り替える第１の電極切替スイッチと、
前記複数の第２の電極と前記検出回路との接続状態を開放状態と短絡状態の間で切り替える第２の電極切替スイッチと、
前記第１の電極切替スイッチおよび前記第２の電極切替スイッチを制御する制御回路と、
を更に備えた、請求項４に記載のタッチパネル装置。
【請求項１０】
前記制御回路は、前記複数のインダクタンス素子のうちの或るインダクタンス素子の前記交流信号源との接続状態を短絡状態にしているときに、前記複数の第１の電極のうちの前記或るインダクタンス素子に直列接続された或る第１の電極に隣り合う別の第１の電極をグランドと前記交流信号源とから切り離して開放し、かつ前記複数の第１の電極のうちの前記或るインダクタンス素子と前記別の第１の電極との他の第１の電極をグランドへ接続するように前記第１の電極切替スイッチを制御する、請求項９に記載のタッチパネル装置。
【請求項１１】
前記制御回路は、
前記複数のインダクタンス素子のうちの複数の或るインダクタンス素子のそれぞれと前記交流信号源との接続状態を同時に短絡状態に維持し、
前記複数の或るインダクタンス素子のうちの前記複数の或るインダクタンス素子の他のインダクタンス素子と前記交流信号源の接続状態を開放状態に維持する、
ように前記第１の電極切替スイッチを制御する、請求項９に記載のタッチパネル装置。
【請求項１２】
前記制御回路は、前記複数の第１の電極のうち前記交流信号源との接続状態が開放状態である第１の電極をグランドへ接続するように前記第１の電極切替スイッチを制御する、請求項６または請求項９に記載のタッチパネル装置。
【請求項１３】
前記タッチパネルに対向して配置された画像表示素子を更に備え、
前記画像表示素子はノイズ期間において前記ノイズ期間の他の期間より大きいノイズを発生し、
前記制御回路は、
前記ノイズ期間においては、前記複数の第１の電極のうち前記交流信号源との接続状態が開放状態である第１の電極をグランドへ接続し、
前記他の期間の少なくとも一部においては、前記複数の第１の電極のうち前記交流信号源との接続状態が開放状態である前記第１の電極をグランドから切り離す、
ように前記第１の電極切替スイッチを制御する、請求項６または請求項９に記載のタッチパネル装置。
【請求項１４】
前記制御回路は、前記複数の第２の電極のうち前記検出回路との接続状態が開放状態である第２の電極をグランドへ接続するように前記第２の電極切替スイッチを制御する、請求項６または請求項９に記載のタッチパネル装置。
【請求項１５】
前記タッチパネルに対向して配置された画像表示素子を更に備え、
前記画像表示素子はノイズ期間において前記ノイズ期間の他の期間より大きいノイズを発生し、
前記制御回路は、
前記ノイズ期間においては、前記複数の第２の電極のうち前記検出回路との接続状態が開放状態である第２の電極をグランドへ接続し、
前記他の期間の少なくとも一部においては、前記複数の第２の電極のうち前記検出回路との接続状態が開放状態である前記第２の電極をグランドから切り離す、
ように前記第２の電極切替スイッチを制御する、請求項６または請求項９に記載のタッチパネル装置。
【請求項１６】
前記複数の第１の電極の中から、前記交流信号が入力される第１の電極を選択する第１の電極切替スイッチと、
前記複数の第２の電極の中から、出力される信号が前記検出回路において検出される第２の電極を選択する第２の電極切替スイッチと、
前記第１の電極切替スイッチおよび前記第２の電極切替スイッチを制御する制御回路と、
を更に備えた、請求項４に記載のタッチパネル装置。
【請求項１７】
前記制御回路は、前記複数の第１の電極のうち前記選択された第１の電極の他の第１の電極をグランドへ接続するように前記第１の電極切替スイッチを制御する、請求項１６に記載のタッチパネル装置。
【請求項１８】
前記制御回路は、前記複数の第１の電極のうちの複数の或る第１の電極を同時に選択するように前記第１の電極切替スイッチを制御する、請求項１６に記載のタッチパネル装置。
【請求項１９】
前記制御回路は、前記複数の第２の電極のうち前記選択された第２の電極の他の第２の電極をグランドへ接続するように前記第２の電極切替スイッチを制御する、請求項１４に記載のタッチパネル装置。
【請求項２０】
前記複数の第２の電極のそれぞれと前記検出回路との間にはインダクタンス素子が電気的に接続されていない、請求項４に記載のタッチパネル装置。
【請求項２１】
前記複数の第２の電極のそれぞれの共振周波数は前記交流信号の周波数と異なっている、請求項４に記載のタッチパネル装置。
【請求項２２】
第１の電極と第２の電極とを有するタッチパネルと、
交流信号を前記第１の電極および前記第２の電極にそれぞれ入力する交流信号源と、
前記交流信号源と前記第１の電極との間に電気的に直列接続されたインダクタンス素子と、
前記第１の電極と前記第２の電極とから出力される信号の変化により、検出対象物が前記タッチパネルの表面にタッチした際の前記第１の電極とグランドとの間の静電容量の変化または前記第２の電極とグランドとの間の静電容量の変化を検出する検出回路と、
を備えたタッチパネル装置。
【請求項２３】
前記インダクタンス素子は、前記交流信号源に電気的に接続された第１の端と、前記第１の電極に電気的に接続された第２の端とを有し、
前記インダクタンス素子の前記第２の端とグランドとの間に電気的に接続された他のインダクタンス素子を更に備えた、請求項２２に記載のタッチパネル装置。
【請求項２４】
前記第１の電極とグランドとの間に接続されたコンデンサを更に備えた、請求項２２に記載のタッチパネル装置。
【請求項２５】
第１の方向に互いに離れて配列され、前記第１の方向と異なる第２の方向へ延在する複数の第１の電極と、
第３の方向に互いに離れて配列され、前記第２の方向かつ前記第３の方向と異なる第４の方向へ延在し、前記複数の第１の電極と交差する複数の第２の電極と、
を有するタッチパネルと、
交流信号を前記第１の電極および前記第２の電極にそれぞれ入力する交流信号源と、
前記複数の第１の電極のそれぞれと前記交流信号源との間、および前記複数の第２の電極のそれぞれと前記交流信号源との間の少なくとも一方の間に電気的に直列接続されたインダクタンス素子と、
前記第１の電極と前記第２の電極とから出力される信号の変化により、検出対象物が前記タッチパネルにタッチした際の前記第１の電極とグランドとの間の静電容量の変化または前記第２の電極とグランドとの間の静電容量の変化を検出する検出回路と、
を備えたタッチパネル装置。
【請求項２６】
前記第２の方向は前記第４の方向と直角である、請求項２５に記載のタッチパネル装置。
【請求項２７】
前記インダクタンス素子は前記複数の第１の電極のそれぞれと前記交流信号源との間に電気的に直列接続されており、
前記複数の第１の電極のそれぞれと前記インダクタンス素子との接続状態を開放状態と短絡状態の間で切り替える第１の電極切替スイッチと、
前記複数の第２の電極のそれぞれと前記検出回路との接続状態を開放状態と短絡状態の間で切り替える第２の電極切替スイッチと、
前記第１の電極切替スイッチおよび前記第２の電極切替スイッチを制御する制御回路と、
を更に備えた、請求項２５に記載のタッチパネル装置。
【請求項２８】
前記制御回路は、前記複数の第１の電極のうちの或る第１の電極の前記インダクタンス素子との接続状態を短絡状態にしているときに、前記複数の第１の電極のうちの前記或る第１の電極に隣り合う別の第１の電極をグランドと前記交流信号源とから切り離して開放し、かつ前記複数の第１の電極のうちの前記或る第１の電極と前記別の第１の電極との他の第１の電極をグランドへ接続するように前記第１の電極切替スイッチを制御する、請求項２７に記載のタッチパネル装置。
【請求項２９】
前記制御回路は、
前記複数の第１の電極のうちの複数の或る第１の電極のそれぞれと前記インダクタンス素子との接続状態を同時に短絡状態に維持し、
前記複数の或る第１の電極の他の第１の電極と前記インダクタンス素子との接続状態を開放状態に維持する、
ように前記第１の電極切替スイッチを制御する、請求項２７に記載のタッチパネル装置。
【請求項３０】
前記インダクタンス素子は、前記複数の第１の電極と前記交流信号源との間に電気的に直列接続された複数のインダクタンス素子を含み、
前記複数のインダクタンス素子のそれぞれと前記交流信号源との接続状態を開放状態と短絡状態の間で切り替える第１の電極切替スイッチと、
前記複数の第２の電極と前記検出回路との接続状態を開放状態と短絡状態の間で切り替える第２の電極切替スイッチと、
前記第１の電極切替スイッチおよび前記第２の電極切替スイッチを制御する制御回路と、
を更に備えた、請求項２５に記載のタッチパネル装置。
【請求項３１】
前記制御回路は、前記複数のインダクタンス素子のうちの或るインダクタンス素子の前記交流信号源との接続状態を短絡状態にしているときに、前記複数の第１の電極のうちの前記或るインダクタンス素子に直列接続された或る第１の電極に隣り合う別の第１の電極をグランドと前記交流信号源とから切り離して開放し、かつ前記複数の第１の電極のうちの前記或る第１の電極と前記別の第１の電極との他の第１の電極をグランドへ接続するように前記第１の電極切替スイッチを制御する、請求項３０に記載のタッチパネル装置。
【請求項３２】
前記制御回路は、
前記複数のインダクタンス素子のうちの複数の或るインダクタンス素子のそれぞれと前記交流信号源との接続状態を同時に短絡状態に維持し、
前記複数のインダクタンス素子のうち前記複数の或るインダクタンス素子の他のインダクタンス素子と前記交流信号源との接続状態を開放状態に維持する、
ように前記第１の電極切替スイッチを制御する、請求項３０に記載のタッチパネル装置。
【請求項３３】
前記制御回路は、前記複数の第１の電極のうち前記交流信号源との接続状態が開放状態である第１の電極をグランドへ接続するように前記第１の電極切替スイッチを制御する、請求項２７または請求項３０に記載のタッチパネル装置。
【請求項３４】
前記タッチパネルに対向して配置された画像表示素子を更に備え、
前記画像表示素子はノイズ期間において前記ノイズ期間の他の期間より大きいノイズを発生し、
前記制御回路は、
前記ノイズ期間においては、前記複数の第１の電極のうち前記交流信号源との接続状態が開放状態である第１の電極をグランドへ接続し、
前記他の期間の少なくとも一部においては、前記複数の第１の電極のうち前記交流信号源との接続状態が開放状態である前記第１の電極をグランドから切り離す、
ように前記第１の電極切替スイッチを制御する、請求項２７または請求項３０に記載のタッチパネル装置。
【請求項３５】
前記制御回路は、前記複数の第２の電極のうち前記検出回路との接続状態が開放状態である第２の電極をグランドへ接続するように前記第２の電極切替スイッチを制御する、請求項２７または請求項３０に記載のタッチパネル装置。
【請求項３６】
前記制御回路は、
前記複数の第２の電極のうちの前記検出回路と開放状態の或る第２の電極に隣り合う別の第２の電極をグランドと前記検出回路とから切り離して開放し、
前記複数の第２の電極のうちの前記或る第２の電極と前記別の第２の電極との他の第２の電極をグランドへ接続する、
ように前記第２の電極切替スイッチを制御する、請求項２７または請求項３０に記載のタッチパネル装置。
【請求項３７】
前記タッチパネルに対向して配置された画像表示素子を更に備え、
前記画像表示素子はノイズ期間において前記ノイズ期間の他の期間より大きいノイズを発生し、
前記制御回路は、
前記ノイズ期間においては、前記複数の第２の電極のうち前記検出回路との接続状態が開放状態である第２の電極をグランドへ接続し、
前記他の期間の少なくとも一部においては、前記複数の第２の電極のうち前記検出回路との接続状態が開放状態である前記第２の電極をグランドから切り離す、
ように前記第２の電極切替スイッチを制御する、請求項２７または請求項３０に記載のタッチパネル装置。
【請求項３８】
前記複数の第１の電極のうち前記交流信号を入力する電極を選択する第１の電極切替スイッチと、
前記複数の第２の電極のうち前記交流信号を入力する電極を選択する第２の電極切替スイッチと、
前記第１の電極切替スイッチおよび前記第２の電極切替スイッチを制御する制御回路と、
を更に備えた、請求項２５に記載のタッチパネル装置。
【請求項３９】
前記制御回路は、前記複数の第１の電極のうち前記選択された第１の電極の他の第１の電極をグランドへ接続するように前記第１の電極切替スイッチを制御する、請求項３８に記載のタッチパネル装置。
【請求項４０】
前記制御回路は、前記複数の第２の電極のうち前記選択された第２の電極の他の第２の電極をグランドへ接続するように前記第２の電極切替スイッチを制御する、請求項３８に記載のタッチパネル装置。
【請求項４１】
前記制御回路は、前記複数の第１の電極のうちの複数の或る第１の電極を同時に選択するように前記第１の電極切替スイッチを制御する、請求項３８に記載のタッチパネル装置。
【請求項４２】
前記制御回路は、前記複数の第２の電極のうちの複数の或る第２の電極を同時に選択するように前記第２の電極切替スイッチを制御する、請求項３８または４１に記載のタッチパネル装置。
【請求項４３】
前記複数の第１の電極のそれぞれは分割された第３の電極および第４の電極よりなり、
前記制御回路は、前記複数の第１の電極のそれぞれの前記第３の電極に前記交流電圧を入力するように前記第１の電極切替スイッチを制御する、請求項６、９、１６、２７、３０、３８のいずれか１項に記載のタッチパネル装置。
【請求項４４】
前記制御回路は、前記複数の第１の電極のそれぞれの前記第４の電極に前記交流電圧を入力するように前記第１の電極切替スイッチを制御する、請求項４３に記載のタッチパネル装置。
【請求項４５】
前記制御回路は、前記複数の第１の電極のそれぞれの前記第３の電極と前記複数の第１の電極のそれぞれの前記第４の電極とに前記交流電圧を交互に入力するように前記第１の電極切替スイッチを制御する、請求項４４に記載のタッチパネル装置。
【請求項４６】
前記制御回路は、前記複数の第１の電極のそれぞれの前記第４の電極に前記交流電圧に対して逆の位相を有する逆相の交流電圧を入力するように前記第１の電極切替スイッチを制御する、請求項４３に記載のタッチパネル装置。
【請求項４７】
前記制御回路は、前記複数の第１の電極のそれぞれの前記第３の電極に前記交流電圧を入力すると同時に前記複数の第１の電極のそれぞれの前記第４の電極に前記逆相の交流電圧を入力するように前記第１の電極切替スイッチを制御する、請求項４６に記載のタッチパネル装置。
【請求項４８】
反転入力端子と非反転入力端子とを有し、前記反転入力端子に入力された信号と前記非反転入力端子に入力された信号との差分の信号を出力する差動増幅器を更に備え、
前記差動増幅器の前記非反転入力端子は、前記複数の第２の電極のうち前記複数の第１の電極のそれぞれの前記第３の電極と対向する或る第２の電極に接続されており、
前記差動増幅器の前記反転入力端子は、前記複数の第２の電極のうち前記複数の第１の電極のそれぞれの前記第４の電極に対向する別の第２の電極に接続されており、
前記検出回路は前記差動増幅器が出力する信号に基づいて前記検出対象物が前記タッチパネルにタッチしているか否かを判定する、請求項４３に記載のタッチパネル装置。
【請求項４９】
前記複数の第１の電極の前記第２の方向の長さは、前記複数の第２の電極の前記第４の方向の長さよりも大きい、請求項４３に記載のタッチパネル装置。
【請求項５０】
前記複数の第２の電極のそれぞれは互いに分割された第５の電極と第６の電極よりなり、
前記制御回路は前記第５の電極および前記第６の電極から出力される信号を前記検出回路に入力するように前記第２の電極切替スイッチを制御する、請求項４３に記載のタッチパネル装置。
【請求項５１】
反転入力端子と非反転入力端子とを有し、前記反転入力端子に入力された信号と前記非反転出力端子に入力された信号との差分の信号を出力する差動増幅器を更に備え、
前記反転入力端子は前記複数の第２の電極のうちの１つの第２の電極の第５の電極に接続されており、
前記非反転入力端子は前記１つの第２の電極の第６の電極に接続されており、
前記検出回路は前記差動増幅器が出力する信号に基づいて前記検出対象物が前記タッチパネルにタッチしているか否かを判定する、請求項５０に記載のタッチパネル装置。
【請求項５２】
前記複数の第２の電極のそれぞれは互いに分割された第３の電極と第４の電極よりなり、
前記制御回路は前記第３の電極および前記第４の電極から出力される信号を前記検出回路に入力するように前記第２の電極切替スイッチを制御する、請求項６、９、１６、２７、３０、３８のいずれか１項に記載のタッチパネル装置。
【請求項５３】
反転入力端子と非反転入力端子とを有し、前記反転入力端子に入力された信号と前記非反転出力端子に入力された信号との差分の信号を出力する差動増幅器を更に備え、
前記反転入力端子は前記複数の第２の電極のうちの１つの第２の電極の第３の電極に接続されており、
前記非反転入力端子は前記１つの第２の電極の第４の電極に接続されており、
前記検出回路は前記差動増幅器が出力する信号に基づいて前記検出対象物が前記タッチパネルにタッチしているか否かを判定する、請求項５２に記載のタッチパネル装置。
【請求項５４】
前記複数の第２の電極の前記第４の方向の長さは、前記複数の第１の電極の前記第２の方向の長さよりも大きい、請求項５２に記載のタッチパネル装置。
【請求項５５】
前記インダクタンス素子は、前記交流信号源に電気的に接続された第１の端と、前記複数の第１の電極に電気的に接続された第２の端とを有し、
前記インダクタンス素子の前記第２の端とグランドとの間に電気的に接続された他のインダクタンス素子を更に備えた、請求項４または請求項２５に記載のタッチパネル装置。
【請求項５６】
前記複数の第１の電極の前記第２の方向の端部とグランドとの間にそれぞれ接続された複数のコンデンサを更に備えた、請求項４または請求項２５に記載のタッチパネル装置。
【請求項５７】
前記複数の第１の電極のそれぞれは前記第２の方向で互いに反対側の２つの端部を有し、
前記複数の第１の電極のそれぞれの前記２つの端部は電気的に短絡状態で接続されている、請求項４または請求項２５に記載のタッチパネル装置。
【請求項５８】
前記複数の第２の電極のそれぞれは前記第４の方向で互いに反対側の２つの端部を有し、
前記複数の第２の電極のそれぞれの前記２つの端部は電気的に短絡状態で接続されている、請求項４または請求項２５に記載のタッチパネル装置。
【請求項５９】
前記タッチパネルに対向して配置された画像表示素子と、
前記複数の第１の電極および前記複数の第２の電極のぞれぞれと前記画像表示素子との間に配置されたシールド層と、
前記シールド層をグランドに接続するかグランドから切り離すかを切り替える接地スイッチと、
を更に備え、
前記画像表示素子はノイズ期間において前記ノイズ期間の他の期間より大きいノイズを発生し、
前記制御回路は、
前記ノイズ期間においては前記シールド層をグランドに接続し、
前記他の期間の少なくとも一部においては、前記シールド層をグランドから切り離す、
ように前記接地スイッチを制御する、請求項６、９、１６、２７、３０、３８のいずれか１項に記載のタッチパネル装置。
【請求項６０】
前記複数の第１の電極のそれぞれと前記複数の第２の電極のそれぞれのうちの一方は前記複数の第１の電極のそれぞれと前記複数の第２の電極のそれぞれのうちの他方より前記シールド層から離れており、
前記複数の第１の電極のそれぞれと前記複数の第２の電極のそれぞれのうちの前記他方の幅は前記複数の第１の電極のそれぞれと前記複数の第２の電極のそれぞれのうちの前記一方の幅よりも広い、請求項５９に記載のタッチパネル装置。
【請求項６１】
前記複数の第１の電極のそれぞれと前記複数の第２の電極のそれぞれのうちの一方は前記複数の第１の電極のそれぞれと前記複数の第２の電極のそれぞれのうちの他方より長く、
前記複数の第１の電極のそれぞれと前記複数の第２の電極のそれぞれのうちの前記一方の幅は前記複数の第１の電極のそれぞれと前記複数の第２の電極のそれぞれのうちの前記他方の幅よりも広い、請求項２または請求項２５に記載のタッチパネル装置。
【請求項６２】
前記第１の電極と前記第２の電極とは共に前記タッチパネルの同一層に形成されている、請求項１または請求項２２に記載のタッチパネル装置。
【請求項６３】
前記交流信号は矩形波である、請求項１、４、２２、２５のいずれか１項に記載のタッチパネル装置。
【発明の詳細な説明】
【技術分野】
【０００１】
本発明は、静電容量方式のタッチパネル装置に関する。
【背景技術】
【０００２】
近年、携帯端末、パーソナルコンピュータ、銀行のＡＴＭ（Ａｕｔｏｍａｔｉｃ  Ｔｅｌｌｅｒ  Ｍａｃｈｉｎｅ）端末などでディスプレイに表示された画像を指でタッチして必要な情報を入力するタッチパネル装置が普及している。タッチパネル装置は、表面にタッチされた指等の検出対象物の位置を精度よく高感度で検出する必要がある。
【０００３】
タッチパネルの検出方式としては、抵抗薄膜方式、静電容量方式などが知られている。静電容量方式のタッチパネル装置は、抵抗薄膜方式と比較して、その寿命、応答性および検出精度の点で優れており、広く使用されている。静電容量方式のタッチパネル装置は検出対象物がタッチパネル装置の表面に接触したときの静電容量の変化を監視し、タッチ位置を検出する。
【０００４】
特許文献１はタッチパネルの複数の検出電極を電気的に結合し、検出する静電容量の変化量を大きくして検出感度を高くしたタッチパネル装置を開示している。
【０００５】
しかし、複数の検出電極を電気的に結合すると位置検出精度が低下する。
【先行技術文献】
【特許文献】
【０００６】
【特許文献１】特開２００８−１５３０２５号公報
【発明の概要】
【発明が解決しようとする課題】
【０００７】
しかしながら、複数の検出電極を電気的に結合すると位置検出精度が低下する。本発明は、このような従来の課題を解決するものであり、簡単な構成により検出感度を高めることができるタッチパネル装置を提供することを目的とする。
【課題を解決するための手段】
【０００８】
上記目的を達成するために本発明は、特に、タッチパネル装置は、第１と第２の電極とを有するタッチパネルと、交流信号を第１の電極に入力する交流信号源と、交流信号源と第１の電極との間に電気的に直列接続されたインダクタンス素子と、第２の電極と接続される検出回路とを備える。
【発明の効果】
【０００９】
タッチパネル装置は、第１と第２の電極とを有するタッチパネルと、交流信号を第１の電極に入力する交流信号源と、交流信号源と第１の電極との間に電気的に直列接続されたインダクタンス素子と、第２の電極と接続される検出回路とを備える。
【００１０】
このタッチパネル装置は、簡単な構成により検出感度を高めることができる。
【図面の簡単な説明】
【００１１】
【図１】実施の形態１におけるタッチパネル装置のタッチパネルの断面模式図
【図２Ａ】相互容量型のタッチパネル装置の動作原理を説明する断面模式図
【図２Ｂ】図２Ａに示すタッチパネル装置の等価回路図
【図２Ｃ】図２Ａに示すタッチパネル装置の等価回路図
【図２Ｄ】図２Ａに示すタッチパネル装置の電極の電圧の波形を示す図
【図２Ｅ】図２Ａに示すタッチパネル装置の電極の電圧の波形を示す図
【図３】実施の形態１におけるタッチパネル装置の構成図
【図４】実施の形態１におけるタッチパネル装置の切替制御信号を示すタイミングチャート
【図５Ａ】実施の形態１におけるタッチパネル装置の構成図
【図５Ｂ】図５Ａに示すタッチパネル装置の等価回路図
【図６Ａ】比較例のタッチパネル装置の断面模式図
【図６Ｂ】実施の形態１におけるタッチパネル装置の断面模式図
【図７Ａ】実施の形態１における他のタッチパネル装置の構成図
【図７Ｂ】実施の形態１における更に他のタッチパネル装置の構成図
【図８】実施の形態１における更に他のタッチパネル装置の構成図
【図９】実施の形態２におけるタッチパネル装置の構成図
【図１０】実施の形態２におけるタッチパネル装置の変形例１の構成図
【図１１】実施の形態２におけるタッチパネル装置の変形例２の構成図
【図１２】実施の形態２におけるタッチパネル装置の変形例３の構成図
【図１３】実施の形態２におけるタッチパネル装置の変形例４の構成図
【図１４】実施の形態２におけるタッチパネル装置の変形例５の構成図
【図１５Ａ】実施の形態２におけるタッチパネル装置の変形例６の構成図
【図１５Ｂ】実施の形態２におけるタッチパネル装置の変形例７の構成図
【図１６】実施の形態３におけるタッチパネル装置の構成図
【図１７】図１６に示すタッチパネル装置の構成図
【図１８】実施の形態３における他のタッチパネル装置の構成図
【図１９】図１８に示すタッチパネル装置の構成図
【図２０Ａ】実施の形態４におけるタッチパネル装置の断面模式図
【図２０Ｂ】実施の形態４におけるタッチパネル装置の信号の波形を示す図
【図２０Ｃ】実施の形態４における他のタッチパネル装置の断面模式図
【図２１】実施の形態５におけるタッチパネル装置の構成図
【図２２】実施の形態６におけるタッチパネル装置の断面模式図
【図２３Ａ】自己容量型のタッチパネル装置の動作原理を説明する断面模式図
【図２３Ｂ】図２３Ａに示すタッチパネル装置の等価回路図
【図２３Ｃ】図２３Ａに示すタッチパネル装置の電極の電圧の波形を示す図
【図２３Ｄ】図２３Ａに示すタッチパネル装置の電極の電圧の波形を示す図
【図２４Ａ】実施の形態６におけるタッチパネル装置の構成図
【図２４Ｂ】実施の形態６における他のタッチパネル装置の構成図
【図２５Ａ】実施の形態７におけるタッチパネル装置の断面模式図
【図２５Ｂ】実施の形態７における他のタッチパネル装置の断面模式図
【図２６】実施の形態８におけるタッチパネル装置のタッチパネルの構成図
【図２７】実施の形態８における他のタッチパネル装置のタッチパネルの構成図
【図２８】実施の形態９におけるタッチパネル装置の構成図
【発明を実施するための形態】
【００１２】
静電容量方式のタッチパネル装置は誘電体などの絶縁層を挟んで格子状に対向した透明電極の容量変化を検出するものである。静電容量方式のタッチパネル装置には、その電極自身の静電容量（電極とグランド間の静電容量）変化を検出する自己容量型と、対向する電極間の容量変化を検出する相互容量型の２種類がある。以下に記載する実施の形態におけるタッチパネル装置は、自己容量型および相互容量型の両方の方式のタッチパネル装置に適用可能である。
【００１３】
（実施の形態１）
図１は実施の形態１におけるタッチパネル装置１に搭載されるタッチパネル１００の断面模式図である。タッチパネル装置１は相互容量型のタッチパネル装置である。タッチパネル１００は、画像表示素子である液晶表示素子（以下、ＬＣＤという）１０７と電極層１０８とガラス層１０５とシールド層１０６と保護層１０１とを備える。電極層１０８とガラス層１０５とシールド層１０６と保護層１０１は透明である。ＬＣＤ１０７と電極層１０８とがガラス層１０５とシールド層１０６を介して対向配置されている。操作者の指等の検出対象物がタッチする電極層１０８の上側（表面側）は保護層１０１により覆われて保護されている。電極層１０８は、駆動電極１０４と、絶縁層であるガラス層１０３と、ガラス層１０３を挟んで駆動電極１０４に対向する検出電極１０２とを備える。駆動電極１０４および検出電極１０２はＩＴＯ（Ｉｎｄｉｕｍ  Ｔｉｎ  Ｏｘｉｄｅ）等の透明電極を互いに直交する方向に格子状に配列して形成されている。駆動電極１０４には、交流信号が入力され、検出電極１０２から出力される。この交流信号を検出することにより駆動電極１０４と検出電極１０２間の静電容量の変化を検出する。静電容量に変化があると、指等の検出対象物がタッチパネル１００にタッチしたことが分かる。透明なシールド層１０６はグランドに接続されており、ＬＣＤ１０７を駆動する際に発生するノイズが駆動電極１０４および検出電極１０２に飛び込み、タッチパネル１００が誤動作することを防止している。また、ＬＣＤ１０７を搭載したＬＣＤ基板もグランドに接続されている。以下、シールド層１０６およびＬＣＤ基板を総称してパネルグランドと称する。なお、シールド層１０６については、実施の形態におけるタッチパネル装置に不可欠な構成ではない。
【００１４】
図２Ａは相互容量型のタッチパネル装置１の動作原理を説明するための断面模式図であり、電極層１０８の拡大図である。図２Ｂはタッチパネル１００に操作者の指等の検出対象物Ｆがタッチしていない状態のタッチパネル装置１の等価回路図である。図２Ｃはタッチパネル１００に検出対象物Ｆがタッチした状態のタッチパネル装置１の等価回路図である。図２Ｄは駆動電極１０４に印加される交流信号である駆動電圧Ｖｓの波形を示す。図２Ｅは検出電極１０２から検出される交流信号である検出電圧Ｖｄの波形を示す。なお、図２Ｂと図２Ｃに示す等価回路図では、相互容量型のタッチパネル装置１の動作原理の理解が容易となるように、検出電極１０２とグランドとの間の浮遊容量や駆動電極１０４とグランドの間の浮遊容量等は考慮していない。図２Ａに示すように、駆動電極１０４と検出電極１０２とが絶縁層１０３を介して交差している交差部では駆動電極１０４と検出電極１０２との間に結合容量Ｃｅが存在している。駆動電極１０４に交流信号の駆動電圧Ｖｓが印加されると、交流信号電流ｉ１が結合容量Ｃｅを介して検出電極１０２に流れ、抵抗Ｒにより検出電圧Ｖｄに変換される。
【００１５】
検出対象物Ｆがタッチパネル１００にタッチしていない状態では、図２Ｂに示すように、交流信号電流ｉ１はすべて抵抗Ｒに流れ、抵抗Ｒには検出電圧Ｖｄ１が発生する。
【００１６】
一方、検出対象物Ｆがタッチパネル１００にタッチした状態では、検出対象物Ｆと検出電極１０２との間に結合容量Ｃｅと並列に静電容量Ｃｆが接続されることになる。このとき、結合容量Ｃｅに蓄積された電荷の一部が静電容量Ｃｆを介してグランドに逃げていく。従って、図２Ｃに示すように、交流信号電流ｉ１の一部（電流ｉ３）が静電容量Ｃｆに流れ、抵抗Ｒに流れる電流ｉ２は電流ｉ１より減少する。したがって、抵抗Ｒに発生する検出電圧Ｖｄ２は、検出対象物Ｆがタッチしていない場合の検出電圧Ｖｄ１よりも小さい値となる。そこで、検出電圧Ｖｄ１と検出電圧Ｖｄ２の間に所定の閾値電圧Ｖｔｈを設定し、後述する検出回路１１４で検出電圧Ｖｄと閾値電圧Ｖｔｈを比較する。もし検出電圧Ｖｄが閾値電圧Ｖｔｈよりも大きい場合には、検出対象物Ｆがタッチしていないと判定し、逆に検出電圧Ｖｄが閾値電圧Ｖｔｈよりも小さい場合には、検出対象物Ｆがタッチしたと判定する。
【００１７】
図３は実施の形態１におけるタッチパネル装置１の構成図である。タッチパネル装置１は、タッチパネル１００と、交流信号源１１０と、駆動電極切替スイッチ１１２と、検出電極切替スイッチ１１３と、検出回路１１４と、制御回路１１５とを備える。交流信号源１１０と駆動電極切替スイッチ１１２との間には整合素子としてのインダクタンス素子１１１が直列に接続されている。
【００１８】
図３において、タッチパネル１００の長手方向をＸ軸、Ｘ軸に直交する方向をＹ軸とする。タッチパネル１００は、Ｘ軸方向（第１の方向）に略等間隔に配列され、Ｙ軸方向（第２の方向）に延在した複数の駆動電極１０４（第１の電極）と、Ｙ軸方向に略等間隔に配列され、Ｘ軸方向に延在した複数の検出電極１０２（第２の電極）から構成される。説明を簡単にするために本実施の形態では、駆動電極１０４は６本の駆動電極Ｘ１〜Ｘ６から構成され、検出電極１０２は６本の検出電極Ｙ１〜Ｙ６から構成されているものとする。駆動電極Ｘ１〜Ｘ６と検出電極Ｙ１〜Ｙ６とはお互いが直交するように格子状に配列されている。
【００１９】
交流信号源１１０は、例えば１．０ＭＨｚ〜１．５ＭＨｚ程度の周波数の交流信号を発生する。駆動電極切替スイッチ１１２（第１の電極切替スイッチ）は、駆動電極Ｘ１〜Ｘ６のそれぞれと電気的に接続されたスイッチＴＳＷ１〜ＴＳＷ６からなり、インダクタンス素子１１１と電気的に接続される駆動電極Ｘｍ（１≦ｍ≦６）を選択するとともに、選択されなかった他の駆動電極をグランドに接続する。すなわち、駆動電極切替スイッチ１１２は、一方の端子が駆動電極Ｘ１〜Ｘ６に電気的に接続され、他方の端子がインダクタンス素子１１１と電気的に接続されている。そして、駆動電極切替スイッチ１１２は、駆動電極Ｘ１〜Ｘ６とインダクタンス素子１１１との接続状態を開放状態と短絡状態の間で切り替える。開放状態となった駆動電極はグランドと接続される。
【００２０】
例えば、図３において、駆動電極Ｘ３が選択された場合には、選択されなかった駆動電極Ｘ１、Ｘ２、Ｘ４、Ｘ５、Ｘ６はグランドに接続される。交流信号源１１０は、駆動電極切替スイッチ１１２で選択された駆動電極Ｘ３にインダクタンス素子１１１を介して交流信号を入力する。このように、駆動電極Ｘ３とインダクタンス素子１１１とが短絡状態に切り替えられた場合には、開放状態となった駆動電極Ｘ１、Ｘ２、Ｘ４、Ｘ５、Ｘ６がグランドと接続されることになる。
【００２１】
検出電極切替スイッチ１１３（第２の電極切替スイッチ）は、検出電極Ｙ１〜Ｙ６のそれぞれと電気的に接続されているスイッチＲＳＷ１〜ＲＳＷ６からなり、検出回路１１４と電気的に接続する検出電極Ｙｎ（１≦ｎ≦６）を選択するとともに、選択されなかった他の検出電極をグランドに接続する。すなわち、検出電極切替スイッチ１１３の一方の端子が検出電極Ｙ１〜Ｙ６に電気的に接続され、他方の端子が検出回路１１４の入力側と電気的に接続されている。そして、検出電極Ｙ１〜Ｙ６と検出回路１１４との接続状態を開放状態と短絡状態の間で切り替える。開放状態となった検出電極がグランドと接続される。
【００２２】
例えば、図３において、検出電極Ｙ３が選択された場合には、選択されなかった検出電極Ｙ１、Ｙ２、Ｙ４、Ｙ５、Ｙ６はグランドに接続される。このように、検出電極Ｙ３と検出回路１１４とが短絡状態に切り替えられた場合には、開放状態となった検出電極Ｙ１、Ｙ２、Ｙ４、Ｙ５、Ｙ６がグランドに接続されることになる。
【００２３】
上記説明において、交流信号源１１０に対して開放状態となった駆動電極と、検出回路１１４に対して開放状態となった検出電極とをグランドに接続するのは、交流信号源１１０に対して短絡状態となった駆動電極と、検出回路１１４に対して短絡状態となった検出電極とに対するＬＣＤ１０７の駆動時に発生するノイズの影響を低減するためである。この構成により、図１のシールド層１０６を削除した構成であっても、ＬＣＤ１０７の駆動時に発生するノイズの影響を低減できる。なお、交流信号源１１０に対して開放状態となった駆動電極、および、検出回路１１４に対して開放状態となった検出電極を必ずしもグランドに接続する必要はない。開放状態となった電極をグランドに接続するか否かは、ＬＣＤ１０７が発生するノイズの量や、シールド層１０６が配置されているか否かに応じて、適宜、判断してもよい。
【００２４】
制御回路１１５は、駆動電極切替スイッチ１１２に切替制御信号ＳＥＬ１を出力し、各スイッチＴＳＷ１〜ＴＳＷ６の切り替えを制御する。同様に、制御回路１１５は、検出電極切替スイッチ１１３に切替制御信号ＳＥＬ２を出力して、各スイッチＲＳＷ１〜ＲＳＷ６の切り替えを制御する。
【００２５】
検出回路１１４は、検出電極切替スイッチ１１３により選択された（検出回路１１４と短絡状態となった）検出電極Ｙｎ（１≦ｎ≦６）から出力される交流信号から検出電圧Ｖｄを生成し、閾値電圧Ｖｔｈと比較することにより、検出対象物Ｆがタッチパネル１００にタッチしたか否かを検出する。
【００２６】
以下の説明において、駆動電極切替スイッチ、検出電極切替スイッチにより、交流信号源、インダクタンス素子、検出回路などとの間が短絡状態となる電極のことを「選択された電極または選択電極」と呼び、開放状態となる電極のことを「選択されなかった電極または非選択電極」と呼ぶことがある。
【００２７】
次に、タッチパネル１００上のタッチ位置を検出する原理を説明する。図４は、駆動電極切替スイッチ１１２の各スイッチＴＳＷ１〜ＴＳＷ６を制御する切替制御信号ＳＥＬ１、および検出電極切替スイッチ１１３の各スイッチＲＳＷ１〜ＲＳＷ６を制御する切替制御信号ＳＥＬ２の切り替えタイミングを示すタイミングチャートである。
【００２８】
図４において、スイッチＴＳＷ１〜ＴＳＷ６の切替制御信号ＳＥＬ１がハイレベル“Ｈ”の期間（Ｔｄ）では、駆動電極Ｘ１〜Ｘ６がインダクタンス素子１１１を介して交流信号源１１０に接続され、切替制御信号ＳＥＬ１がローレベル“Ｌ”の期間では駆動電極Ｘ１〜Ｘ６がグランドに接続される。同様に、スイッチＲＳＷ１〜ＲＳＷ６の切替制御信号ＳＥＬ２がハイレベル“Ｈ”の期間（Ｔｓ）では、検出電極Ｙ１〜Ｙ６が検出回路１１４に接続され、切替制御信号ＳＥＬ２がローレベル“Ｌ”の期間は、検出電極Ｙ１〜Ｙ６がグランドに接続される。
【００２９】
図４に示すように、駆動電極切替スイッチ１１２は交流信号源１１０に接続する駆動電極Ｘ１〜Ｘ６を一定の時間間隔Ｔｄで順次選択するようにスキャンする。ある特定の駆動電極Ｘｍ（１≦ｍ≦６）が交流信号源１１０と接続されている期間（交流信号が入力されている期間）に、検出電極切替スイッチ１１３は、すべての検出電極Ｙ１〜Ｙ６を一定の時間間隔Ｔｓで順次選択するようにスキャンし、選択された検出電極Ｙｎ（１≦ｎ≦６）から交流信号を検出回路１１４に出力する。駆動電極Ｘ６の選択が終了すると、最初の駆動電極Ｘ１に戻ってこのスキャンを繰り返す。駆動電極Ｘ１〜Ｘ６、検出電極Ｙ１〜Ｙ６はフレーム時間Ｔｆですべてのスキャンが終了し、次のフレームのスキャンに移る。このスキャン動作が制御回路１１５の制御により順次繰り返される。
【００３０】
このフレームのスキャンの速度は検出対象物Ｆの動きに比べて十分速い（フレーム時間Ｔｆは十分小さい）ので、検出対象物Ｆのタッチ位置を、駆動電極と検出電極の交差点の間隔精度で検出することができる。検出回路１１４は、制御回路１１５から入力される切替制御信号ＳＥＬ１、ＳＥＬ２と、検出電圧Ｖｄと閾値電圧Ｖｔｈとの比較結果とにより、検出対象物Ｆがタッチしたタッチパネル１００上の位置を検出する。
【００３１】
例えば、図３において、タッチパネル１００上の駆動電極Ｘ３と検出電極Ｙ３が交差する位置に検出対象物Ｆがタッチした場合、スイッチＴＳＷ３の切替制御信号ＳＥＬ１がハイレベル“Ｈ”で、スイッチＲＳＷ３の切替制御信号ＳＥＬ２がハイレベル“Ｈ”のタイミング（図４のタイミングＴｐ）で、検出回路１１４は閾値電圧Ｖｔｈよりも小さい検出電圧Ｖｄを検出することになる。
【００３２】
言い換えれば、駆動電極Ｘ３が交流信号源１１０に接続され、かつ、検出電極Ｙ３が検出回路１１４と接続されたタイミングで、検出回路１１４は検出対象物Ｆのタッチを検出することになる。
【００３３】
本実施の形態におけるタッチパネル装置１では、交流信号源１１０と駆動電極Ｘ１〜Ｘ６との間にインダクタンス素子１１１が接続されている。以下にインダクタンス素子１１１の効果を説明する。図５Ａは、図３に示すタッチパネル装置１の検出対象物Ｆがタッチしている領域の構成図である。図５Ｂは、交流信号源１１０から検出回路１１４までの伝送路の等価回路図である。
【００３４】
タッチパネル装置１において、駆動電極Ｘ３および検出電極Ｙ３がそれぞれ選択されると、交流信号源１１０、インダクタンス素子１１１、駆動電極Ｘ３の入力端Ｐ１、駆動電極Ｘ３と検出電極Ｙ３の交差点Ｐ３３、検出電極Ｙ３の出力端Ｐ３を経由して検出回路１１４に至る交流信号電流が流れる伝送路１１７が形成される。
【００３５】
駆動電極Ｘ３の入力端Ｐ１から駆動電極Ｘ３と検出電極Ｙ３の交差点Ｐ３３までには抵抗Ｒｄが存在し、交差点Ｐ３３から検出電極Ｙ３の出力端Ｐ３までには抵抗Ｒｓが存在している。
【００３６】
また、駆動電極Ｘ３に隣り合う駆動電極Ｘ２、Ｘ４はグランドに接続されている。そのため、駆動電極Ｘ３と駆動電極Ｘ２、Ｘ４間には、浮遊容量Ｃｓ１、Ｃｓ２がそれぞれ存在する。さらに、駆動電極Ｘ３とパネルグランドとの間にも浮遊容量Ｃｓ３が存在する。
【００３７】
同様に、検出電極Ｙ３に隣り合う検出電極Ｙ２、Ｙ４はグランドに接続されている。そのため、検出電極Ｙ３と検出電極Ｙ２、Ｙ４間には、浮遊容量Ｃｓ４およびＣｓ５が存在する。さらに、検出電極Ｙ３とパネルグランドとの間にも浮遊容量Ｃｓ６が存在する。
【００３８】
図５Ｂに示すように、伝送路１１７にはインダクタンス素子１１１のインダクタンスＬと、駆動電極Ｘ３の浮遊容量Ｃｓｄ（＝Ｃｓ１＋Ｃｓ２＋Ｃｓ３）、結合容量Ｃｅおよび検出電極Ｙ３の浮遊容量Ｃｓｓ（＝Ｃｓ４＋Ｃｓ５＋Ｃｓ６）で決まる静電容量によって直列共振回路が形成される。ここで、結合容量Ｃｅの値は、浮遊容量Ｃｓｄ、Ｃｓｓの値と比較して十分小さいため、この直列共振回路の共振周波数ｆｒｅｓは、（数１）で表される。
【００３９】
【数１】
2014052997.tif 000003
【００４０】
ここで、浮遊容量Ｃｓｄは駆動電極Ｘ３の幅、隣り合う駆動電極Ｘ２、Ｘ４やパネルグランド、シールド層１０６等までの距離などにより決まる。このように、インダクタンス素子１１１を駆動電極と交流信号源１１０との間に電気的に接続する事により、交流信号の周波数において駆動電極を共振させることが可能となり、駆動電極を流れる交流信号の振幅値を大きくできる。その結果、駆動電極近傍の電界強度・磁界強度を増強させることができ、タッチパネル１００の感度の向上が可能となる。
【００４１】
一般的な情報端末（例えば、スマートフォンやタブレットＰＣ等）に装着されているタッチパネルにおいて、駆動電極と交流信号源１１０との間にインダクタンス素子１１１を電気的に接続しない場合には、駆動電極の共振周波数は数１０ＭＨｚ以上の高い周波数となってしまう。一方、一般的な情報端末に装着されているタッチパネル装置の交流信号源１１０の出力する交流信号の周波数は、数１０ｋＨｚから５００ｋＨｚ程度が用いられている。このことからも、インダクタンス素子１１１が駆動電極と交流信号源１１０との間に電気的に接続されていなければ、一般的に、交流信号の周波数において、駆動電極を共振させることは困難である。実施の形態１におけるタッチパネル装置１では、インダクタンス素子１１１が駆動電極と交流信号源１１０との間に電気的に接続されているため、駆動電極の共振周波数を低減でき、その結果、交流信号の周波数において駆動電極を共振させることができ、タッチパネル１００の感度向上が可能となる。
【００４２】
なお、一般的な情報端末に装着されているタッチパネル装置の交流信号源１１０が出力する交流信号の周波数が数１０ｋＨｚから５００ｋＨｚ程度である理由としては、駆動電極および検出電極を交流信号が伝送する際、駆動電極および検出電極はローパスフィルタとして機能し、５００ｋＨｚ以上の高い周波数の交流信号を入力した場合には、交流信号が各電極を伝送中に大幅に減衰してしまうためである。そのため、一般的に交流信号の周波数としては、駆動電極および検出電極がローパスフィルタとして機能したときのカットオフ周波数以下の周波数を採用し、各電極を信号が伝送中の電力ロスの低減を図っている。実施の形態１では、更に、インダクタンス素子１１１のインダクタンスを大きくすることにより、駆動電極等の共振周波数を下げることが可能となるため、例えば、５００ｋＨｚ以下の周波数においても駆動電極等を共振させることが可能となる。これにより高感度なタッチパネル装置１を実現できる。
【００４３】
しかしながら、駆動電極等の共振周波数を駆動電極等のカットオフ周波数以下に下げるため、インダクタンス素子１１１のインダクタンスを大きくしていくと、インダクタンスの大きさに比例してインダクタンス素子１１１の抵抗損失も増えてしまう。インダクタンスを大きくしすぎた場合には、インダクタンス素子１１１での電力損失によりタッチパネル装置１の感度が下がってしまう恐れもある。このため、駆動電極等のカットオフ周波数ができるだけ高くなるように駆動電極等の構造等を設計してもよい。そして、インダクタンス素子１１１と駆動電極等による共振周波数の目標値を駆動電極等のカットオフ周波数付近（一般的な通信機器用のタッチパネル装置であれば、例えば、１．０ＭＨｚ〜１．５ＭＨｚ程度）に設定し、インダクタンス素子１１１のインダクタンスが大きくなりすぎないように配慮する構成としても良い。交流信号源１１０の出力する交流信号の周波数は、インダクタンス素子１１１と駆動電極等とによる共振周波数ｆｒｅｓ付近に設定される。
【００４４】
図５Ｂの等価回路に示すように、伝送路１１７のカットオフ周波数ｆｃは、駆動電極Ｘ３により構成されるローパスフィルタの時定数（Ｒｄ×Ｃｓｄ）および検出電極Ｙ３により構成されるローパスフィルタの時定数（Ｒｓ×Ｃｓｓ）と（数２）の関係を有する。
【００４５】
【数２】
2014052997.tif 000004
【００４６】
従って、カットオフ周波数ｆｃを高くするためには、駆動電極Ｘ３の抵抗Ｒｄ、浮遊容量Ｃｓｄ、検出電極Ｙ３の抵抗Ｒｓ、浮遊容量Ｃｓｓの少なくともいずれかを小さくする必要がある。
【００４７】
図６Ａは、インダクタンス素子１１１が接続されていない比較例のタッチパネル装置における駆動電極から検出電極へ到達する電界の強度を示す。図６Ｂは、インダクタンス素子１１１により駆動電極等を交流信号源１１０の交流信号の周波数において共振させる実施の形態１におけるタッチパネル装置１における駆動電極から検出電極へ到達する電界の強度を示す図である。
【００４８】
図６Ｂに示すように、インダクタンス素子１１１のインダクタンスＬと浮遊容量Ｃｓｄによって決まる共振周波数ｆｒｅｓの交流信号電圧が駆動電極１０４へ印加されると、駆動電極１０４には振幅値の大きな共振電流が流れる。この共振電流により、駆動電極１０４から検出電極１０２に到達する電界Ｅ２の強度は、図６Ａに示す比較例のタッチパネル装置の電極近傍の電界Ｅ１の強度よりも大きくなる。その結果、電界Ｅ２はタッチパネル１００の表面から遠くまで到達することになる。電界Ｅ２の到達範囲内に検出対象物Ｆが接近すると検出対象物Ｆと検出電極１０２との間に、前述した静電容量Ｃｆが形成される。従って、電界の到達距離が大きいほどタッチパネル１００の検出対象物Ｆに対する検出感度は上がることになる。
【００４９】
図３に示すタッチパネル装置１では、すべての駆動電極Ｘ１〜Ｘ６に同じインダクタンス素子１１１が接続される。しかし、駆動電極Ｘ１〜Ｘ６の抵抗Ｒｄ、浮遊容量Ｃｓｄの値にはバラツキがあるので、各駆動電極の入力インピーダンスは一致しておらず、ばらついている。よって、同じインダクタンス素子１１１を用いて各駆動電極Ｘ１〜Ｘ６を共振させた場合、各駆動電極Ｘ１〜Ｘ６の共振周波数は異なった値となる。その結果、交流信号の周波数が１種類の場合には、すべての駆動電極Ｘ１〜Ｘ６で大きな共振電流を流すことが困難となる場合がある。
【００５０】
そこで、インダクタンス素子１１１の代わりに、インダクタンスの異なる複数のインダクタンス素子をスイッチで選択し、交流信号を入力する電極に応じて最適なインダクタンスを有するインダクタンス素子を選択する構成としても良い。図７Ａは、実施の形態１における他のタッチパネル装置１００２の構成図である。図７Ａにおいて、図１に示すタッチパネル装置１と同じ部分には同じ参照番号を付す。図７Ａに示すタッチパネル装置１００２では、駆動電極Ｘ１〜Ｘ６を、入力インピーダンスの近い駆動電極Ｘ１〜Ｘ３からなるグループＧＡと、入力インピーダンスの近い駆動電極Ｘ４〜Ｘ６からなるグループＧＢの２つのグループに分割する例を示す。グループＧＡに属する駆動電極Ｘ１〜Ｘ３には、インダクタンスＬａを有するインダクタンス素子１１１ａが直列に接続される。グループＧＢに属する駆動電極Ｘ４〜Ｘ６には、インダクタンスＬｂを有するインダクタンス素子１１１ｂが直列に接続される。このようにすると、入力インピーダンスの近い電極グループごとに、最適なインダクタンスＬを持つインダクタンス素子が接続されるので、グループ間で共振周波数のバラツキを抑えることができる。その結果、各電極を駆動時に、振幅値の大きな共振電流を流すことが可能となり、タッチパネル装置１００２の感度を向上させることができる。
【００５１】
駆動電極のグループ分けの方法として、各々の駆動電極の周囲状況（グランド等や他電極との位置関係）を確認し、その周囲状況が似ている駆動電極同士をグループ化する、すなわち浮遊容量Ｃｓｄの値の近い複数のグループに分けてもよい。周囲状況が似ていれば、その駆動電極の持つ浮遊容量の大きさも近似してくるため、グループ化した電極同士の入力インピーダンスのバラツキを低く抑えることが可能となる。図７Ｂは、実施の形態１における更に他のタッチパネル装置１００３の構成図である。図７Ｂにおいて、図７Ａに示すタッチパネル装置１００２と同じ部分には同じ参照番号を付す。図７Ｂに示すタッチパネル装置１００３では、両端にある駆動電極Ｘ１、Ｘ６をグループＧＡにグループ化し、駆動電極Ｘ１、Ｘ６間にある駆動電極Ｘ２、Ｘ３、Ｘ４、Ｘ５をグループＧＢにグループ化する。両端にある駆動電極Ｘ１、Ｘ６は、駆動電極Ｘ１、Ｘ６間にある駆動電極Ｘ２、Ｘ３、Ｘ４、Ｘ５と周囲状況が異なり、浮遊容量が異なると考えられる。一方、グループＧＡに属する駆動電極Ｘ１、Ｘ６は互いに類似する周囲状況にあり、したがって類似する浮遊容量を有する。また、グループＧＢに属する駆動電極Ｘ２、Ｘ３、Ｘ４、Ｘ５は互いに類似する周囲状況にあり、したがって類似する浮遊容量を有する。これにより、グループＧＡ、ＧＢの駆動電極の入力インピーダンスのバラツキを低減できる。
【００５２】
更に、図３のインダクタンス素子１１１の代わりに、各駆動電極Ｘ１〜Ｘ６と駆動電極切替スイッチ１１２との間に、それぞれの駆動電極を共振させられるインダクタンス素子を電気的に接続する構成としても良い。このような構成を採用することで、それぞれの電極が共振する最適なインダクタンスを選択でき、電極周囲の電界・磁界強度を向上させることができる。
【００５３】
図８は、実施の形態１における更に他のタッチパネル装置１００４の構成図である。図８において、図１に示すタッチパネル装置１と同じ部分には同じ参照番号を付す。図８に示すタッチパネル装置１００４では、インダクタンス素子１１１−１〜１１１−６を、駆動電極切替スイッチ１１２と各駆動電極Ｘ１〜Ｘ６の間に配置し、すべての駆動電極Ｘ１〜Ｘ６にそれぞれ異なるインダクタンス素子１１１−１〜１１１−６を接続する。すなわち、図８では、駆動電極切替スイッチ１１２の一方の端子がインダクタンス素子１１１−１〜１１１−６と接続され、他方の端子が交流信号源１１０と接続されている。そして、駆動電極切替スイッチ１１２はインダクタンス素子１１１−１〜１１１−６と交流信号源１１０との接続状態を開放状態と短絡状態の間で切り替える。
【００５４】
このようにすると、駆動電極ごとにインダクタンス素子のインダクタンスを調整できるので、より正確に共振周波数ｆｒｅｓを合わすことができる。その結果、すべての駆動電極Ｘ１〜Ｘ６において検出感度を揃えることができる。
【００５５】
なお、上記においては、インダクタンス素子の数を増やして、駆動電極等の入力インピーダンスのバラツキに対応したが、各電極の入力インピーダンスと図３のインダクタンスとにより各電極が共振する周波数に、交流信号源の出力信号の周波数を駆動する電極ごとに変更しても良い。これにより、インダクタンス素子の数を増やさず、各電極において共振現象を起こすことが可能となり、小型で安価なタッチパネル装置を実現できる。
【００５６】
尚、実施の形態１におけるタッチパネル装置１において、検出電極（第２の電極）Ｙ１〜Ｙ６と検出回路１１４との間には、検出電極Ｙ１〜Ｙ６を共振させる為のインダクタンス素子が電気的に接続されない構成としてもよい。この構成においては、検出電極Ｙ１〜Ｙ６のそれぞれの共振周波数と交流信号の周波数とが異なることになり、検出電極Ｙ１〜Ｙ６の検出感度が高くなりすぎる事を回避できる。結果、タッチパネル装置の近傍に液晶パネル等のノイズ源が存在する場合に、それらノイズ源から放射されるノイズを検出電極Ｙ１〜Ｙ６が感度良く受信してしまい、検出回路１１４において交流信号が検出困難となる状況を回避できる。
【００５７】
尚、実施の形態１における「共振周波数」とは、インダクタンス素子の交流信号源との接続点または検出回路の検出信号の入力点から、第１の電極切替スイッチ（駆動電極切替スイッチやＸ電極切替スイッチ等を指す）または第２の電極切替スイッチ（検出電極切替スイッチやＹ電極切替スイッチ等を指す）を介して対象の電極を見たときの入力インピーダンス特性において、虚数成分が０となる周波数を指している。
【００５８】
（実施の形態２）
図９は実施の形態２におけるタッチパネル装置２の構成図である。図９において、図１に示す実施の形態１におけるタッチパネル装置１と同じ部分には同じ参照番号を付す。実施の形態２におけるタッチパネル装置２は、タッチパネル１００に代えてタッチパネル１２０を備え、分割電極切替スイッチ１２７を更に備える。
【００５９】
図９に示すように、タッチパネル１２０では、駆動電極Ｘｍ（１≦ｍ≦６）がＹ軸方向の略中央部において駆動電極Ｘｍ１（１≦ｍ≦６）（第３の電極）とＸｍ２（１≦ｍ≦６）（第４の電極）の２つの駆動電極に２分割されている。
【００６０】
そして、１つの交流信号源１１０から２つの駆動電極Ｘｍ１（１≦ｍ≦６）とＸｍ２（１≦ｍ≦６）に交流信号を入力するために、駆動電極切替スイッチ１１２にさらに分割電極切替スイッチ１２７を直列接続している。分割電極切替スイッチ１２７はスイッチＴＳＷ７〜ＴＳＷ１２からなる。制御回路１１５は分割電極切替スイッチ１２７を制御して、検出電極切替スイッチ１１３が検出電極Ｙ１〜Ｙ３をスキャンしている間に駆動電極Ｘｍ２（１≦ｍ≦６）を交流信号源１１０に接続し、検出電極切替スイッチ１１３が検出電極Ｙ４〜Ｙ６をスキャンしている間に駆動電極Ｘｍ１（１≦ｍ≦６）を交流信号源１１０に接続して、交流信号を駆動電極に入力する。このように駆動電極Ｘ１〜Ｘ６を２分割すると、分割前の駆動電極と比較して分割後の各駆動電極の実効長を短く（図９においては略１／２）することができる。その結果、駆動電極の抵抗Ｒｄおよび浮遊容量Ｃｓｄの値が分割しない駆動電極に比べて小さくなる。これにより、駆動電極を伝送路として見たときのカットオフ周波数ｆｃを、駆動電極を分割しない場合のカットオフ周波数ｆｃと比較して高くすることができる。その結果、駆動電極を分割しない場合と比較して交流信号の周波数を上げることが可能となるため、インダクタンス素子１１１のインダクタンスを下げることができ、インダクタンス素子１１１での抵抗損失を低減できる。これにより、駆動電極から放射される電界・磁界を増強させることができる。
【００６１】
また、図９において、例えばタッチを検出する位置が交差点Ｐ１３の場合、駆動電極を分割していない実施の形態１では、交流信号源１１０から入力された交流信号は経路１２２を通ることになる。一方、駆動電極を２分割した本実施の形態では、交流信号源１１０から入力された交流信号は経路１２３を通ることとなる。経路１２３に含まれる駆動電極Ｘ３２の長さは、経路１２２に含まれる駆動電極（Ｘ３）の長さよりも短くなる。これにより、交流信号が駆動電極を伝送する際に、駆動電極において損失されるエネルギー損失量を抑圧でき、高感度なタッチパネル装置を実現できる。
【００６２】
また、図９に示すタッチパネル装置２のように、インダクタンス素子１１１が駆動電極切替スイッチ１１２と交流信号源１１０との間に電気的に接続されている構成によれば、インダクタンス素子１１１が１素子で済み、回路構成が簡単になり、小型で安価なタッチパネル装置を実現できる。また、図９のタッチパネル装置２は、１系統の交流信号源１１０で実現可能であるため、回路構成が簡単になると共に、消費電力を下げることができる。
【００６３】
なお、図９において、分割電極切替スイッチ１２７を駆動電極切替スイッチ１１２とは別のスイッチとして構成しているが、分割電極切替スイッチ１２７を駆動電極切替スイッチ１１２に含めた構成としてもよい。
【００６４】
また、図９において、駆動電極はＹ軸方向の略中央部において２分割されているが、略中央部で電極を分割することにより、分割後の電極のペア（例えば、駆動電極Ｘ１１とＸ１２のペア）の入力インピーダンスが近似するため、分割後の電極それぞれに対してインダクタンス素子を用意する必要はなくなる。これにより、小型なタッチパネル装置を実現できる。
【００６５】
以下、実施の形態２の変形例１〜７について図１０から図１５Ｂを参照して説明する。図１０から図１５Ｂにおいて、図９に示すタッチパネル装置２と同じ部分には同じ参照番号を付す。
【００６６】
（変形例１）
図１０は、実施の形態２におけるタッチパネル装置２の変形例１の構成図である。本変形例では、２つの分割された駆動電極Ｘｍ１（１≦ｍ≦６）および駆動電極Ｘｍ２（１≦ｍ≦６）に１つの交流信号源１１０から互いに逆相の交流信号を同時に入力する。
【００６７】
交流信号源１１０には、インダクタンス素子１１１が接続されている。インダクタンス素子１１１は駆動電極切替スイッチ１２４と直接および、位相反転回路１２５を介して接続されている。駆動電極切替スイッチ１２４は、順次切り替えられる６個のスイッチＴＳＷ１３〜１８から構成され、それぞれのスイッチＴＳＷ１３〜１８は、互いに同時に断続するように動作する２つのスイッチＳＷ１、ＳＷ２から構成されている。したがって、駆動電極切替スイッチ１２４により選択された２つの駆動電極Ｘｍ１（１≦ｍ≦６）および駆動電極Ｘｍ２（１≦ｍ≦６）には交流信号源１１０から同時にお互いに位相の反転した交流信号が入力される。
【００６８】
これにより、本変形例では図９の分割電極切替スイッチ１２７が不要となり、回路構成が簡略化できる。
【００６９】
（変形例２）
図１１は、実施の形態２におけるタッチパネル装置２の変形例２の構成図である。本変形例では、２つの分割された駆動電極Ｘｍ１（１≦ｍ≦６）および駆動電極Ｘｍ２（１≦ｍ≦６）に１つの交流信号源１１０から同相の交流信号を同時に入力する。本変形例がタッチパネル装置２と異なる点は、駆動電極Ｘｍ１と駆動電極Ｘｍ２を切り替えずに同時に交流信号源１１０に接続して、同相の交流信号を同時にそれぞれの駆動電極に入力している点である。
【００７０】
これにより、本変形例では図９の分割電極切替スイッチ１２７が不要となり、回路構成が簡略化できると共に、図１０の位相反転回路１２５も不要となり回路構成をさらに簡略化できる。
【００７１】
（変形例３）
図１２は、実施の形態２におけるタッチパネル装置の変形例３の構成図である。本変形例では、２つの分割された駆動電極にそれぞれ異なる交流信号源から交流信号を同時に入力する。
【００７２】
２つに分割された駆動電極Ｘｍ１（１≦ｍ≦６）および駆動電極Ｘｍ２（１≦ｍ≦６）には、２つの異なる交流信号源１１０ａ、１１０ｂから交流信号がそれぞれ入力される。駆動電極Ｘｍ１（１≦ｍ≦６）は、駆動電極切替スイッチ１１２ａ、インダクタンス素子１１１ａを介して交流信号源１１０ａに接続される。一方、駆動電極Ｘｍ２（１≦ｍ≦６）は、駆動電極切替スイッチ１１２ｂ、インダクタンス素子１１１ｂを介して交流信号源１１０ｂに接続される。駆動電極切替スイッチ１１２ａおよび駆動電極切替スイッチ１１２ｂは、同時刻に整数ｍの同じ複数の駆動電極Ｘｍ１、Ｘｍ２を選択するように切り替え動作が行われる。
【００７３】
このように、２つに分割された駆動電極に２つの異なる交流信号源から交流信号を入力することにより、交流信号源から駆動電極までの配線を互いに絶縁するようにブリッジさせる必要がないので、配線基板等の配線層数を少なくすることができる。
【００７４】
（変形例４）
図１３は、実施の形態２におけるタッチパネル装置の変形例４の構成図である。変形例１〜３では、駆動電極Ｘ１〜Ｘ６が分割されているが、検出電極Ｙ１〜Ｙ６を分割しても同様の効果がある。本変形例では、検出電極Ｙ１〜Ｙ６をＸ軸方向の略中央部で２つに分割し、分割された検出電極Ｙｎ１（１≦ｎ≦６）（第５の電極）および検出電極Ｙｎ２（１≦ｎ≦６）（第６の電極）から別々に交流信号を出力する。
【００７５】
本変形例のタッチパネル１２１では、検出電極Ｙ１〜Ｙ６をそれぞれ検出電極Ｙｎ１（１≦ｎ≦６）および検出電極Ｙｎ２（１≦ｎ≦６）の２つの検出電極に分割する。検出電極Ｙｎ１（１≦ｎ≦６）は検出電極切替スイッチ１１３ａを介して検出回路１１４ａと接続される。検出電極Ｙｎ２（１≦ｎ≦６）は検出電極切替スイッチ１１３ｂを介して検出回路１１４ｂと接続される。検出電極切替スイッチ１１３ａは、駆動電極切替スイッチ１１２により、駆動電極Ｘ１〜Ｘ３が選択されている間に、検出電極Ｙｎ１（１≦ｎ≦６）を検出回路１１４ａに順次接続するようにスキャンする。検出電極切替スイッチ１１３ｂは、駆動電極切替スイッチ１１２により、駆動電極Ｘ４〜Ｘ６が選択されている間に、検出電極Ｙｎ２（１≦ｎ≦６）を検出回路１１４ｂに順次接続するようにスキャンする。
【００７６】
このように、検出電極を２分割すると、交流信号源１１０から検出回路１１４ａまたは検出回路１１４ｂまでの伝送路中の検出電極の平均実効長を短くできる。その結果、検出電極の抵抗Ｒｓおよび浮遊容量Ｃｓｓの平均実効値が分割前に比べて小さくなる。これにより、伝送路のカットオフ周波数ｆｃを、検出電極を分割しない場合のカットオフ周波数ｆｃに比べて高くすることができる。実施の形態２のタッチパネル１２１は、Ｘ電極より長い長軸の電極（Ｙ電極）を検出電極としているために、検出電極を分割した方がカットオフ周波数を高くする効果は大きくなる。この技術思想から、電極長の長いものから優先して電極の分割化を行っても良い。
【００７７】
なお、検出電極Ｙｎ１（１≦ｎ≦６）に対向している駆動電極（図１３においては、駆動電極Ｘｎ（１≦ｎ≦３））の内の１つの駆動電極と、検出電極Ｙｎ２（１≦ｎ≦６）に対向している駆動電極（図１３においては、駆動電極Ｘｎ（４≦ｎ≦６））の内の１つの駆動電極とに、交流信号源１１０からの交流信号が入力されるように駆動電極切替スイッチ１１２が制御される構成としても良い。これにより駆動電極Ｘ１〜Ｘ６の電極の内、２つの電極を同時にスキャンすることが可能となり、駆動電極Ｘ１〜Ｘ６のスキャン時間を短縮することが可能となる。
【００７８】
このような効果が得られるのも、検出電極が分割されている為である。
【００７９】
また、図１３においては、分割した検出電極それぞれに検出回路１１４ａ、１１４ｂを接続したが、検出電極切替スイッチ１１３ａおよび検出回路１１４ａと、検出電極切替スイッチ１１３ｂおよび検出回路１１４ｂとを同時に動作させない構成とすることで、図９に示すタッチパネル装置２と同様に、１つの検出電極切替スイッチおよび１つの検出回路を、分割電極切替スイッチで切替制御することもできる。このようにすると、検出回路が１系統で済むので回路構成が簡単になるとともに、消費電力を下げることができる。
【００８０】
（変形例５）
図１４は、実施の形態２におけるタッチパネル装置の変形例５の構成図である。本変形例では、駆動電極と検出電極の両方をそれぞれの略中央部で２分割する。駆動電極Ｘｍ（１≦ｍ≦６）が駆動電極Ｘｍ１（１≦ｍ≦６）および駆動電極Ｘｍ２（１≦ｍ≦６）に分割され、検出電極Ｙｎ（１≦ｎ≦６）が検出電極Ｙｎ１（１≦ｎ≦６）と検出電極Ｙｎ２（１≦ｎ≦６）に分割されている。その他の構成は、図１２、図１３と同じであるので、説明を省略する。
【００８１】
これにより、交流信号源１１０ａから検出回路１１４ａまでの伝送路中および、交流信号源１１０ｂから検出回路１１４ｂまでの伝送路中の駆動電極および検出電極の平均実効長がさらに短くなる。その結果、駆動電極の抵抗Ｒｄ、検出電極の抵抗Ｒｓおよび駆動電極の浮遊容量Ｃｓｄ、検出電極の浮遊容量Ｃｓｓの平均実効値が分割されていない電極を有するタッチパネル装置に比べてさらに小さくなる。これにより、伝送路のカットオフ周波数ｆｃを、電極を分割しない場合のカットオフ周波数ｆｃに比べてさらに高くすることができる。
【００８２】
なお、変形例４同様に、交流信号源、駆動電極切替スイッチおよび検出電極切替スイッチを１系統とし、分割された駆動電極および検出電極をそれぞれ切り替えてもよい。更に、変形例４同様に、検出電極Ｙｎ１（１≦ｎ≦６）に対向している駆動電極（図１４においては、Ｘｎ１（１≦ｎ≦３）のうちの１つとＸｎ２（１≦ｎ≦３）のうちの１つとのペア）の内の１つの駆動電極と、検出電極Ｙｎ２（１≦ｎ≦６）に対向している駆動電極（図１４においては、Ｘｎ１（４≦ｎ≦６）のうちの１つとＸｎ２（４≦ｎ≦６）のうちの１つとのペア）の内の１つの駆動電極とに、交流信号源１１０ａ、１１０ｂからの交流信号が印加されるように駆動電極切替スイッチ１１２ａ、１１２ｂが制御される構成としても良い。
【００８３】
上記いずれの変形例でも、短軸の電極（Ｘ電極）を駆動電極とした場合を例示しているが、長軸の電極（Ｙ電極）を駆動電極としてもよい。Ｙ電極を駆動電極とする場合は、駆動電極の抵抗Ｒｄおよび浮遊容量ＣｓｄがＸ電極を駆動電極する場合と比較して大きくなるので、電極を分割する効果はより大きくなる。
【００８４】
（変形例６）
図１５Ａは、実施の形態２のタッチパネル装置の変形例６の構成図である。本変形例は、２つの検出電極に接続された差動増幅器により交流信号を検出する。なお、図１５Ａでは選択された電極のみを実線で示し、選択されなかった電極は破線で示している。
【００８５】
図１５Ａは、図１０に示す変形例２の検出に関するものである。差動増幅器１２６は非反転入力端子（＋）と反転入力端子（−）と出力端子とを有し、非反転入力端子に入力された信号から反転入力端子に入力された信号を引いて得られた差を出力端子から出力する。駆動電極Ｘ３が駆動電極Ｘ３１と駆動電極Ｘ３２に分割されている。駆動電極Ｘ３２と交差する検出電極Ｙ２からの検出信号は差動増幅器１２６の非反転入力端子に接続されている。一方、駆動電極Ｘ３１と交差する検出電極Ｙ４からの検出信号が差動増幅器１２６の反転入力端子に接続されている。差動増幅器１２６は、検出電極Ｙ２の検出信号と検出電極Ｙ４の検出信号の差分を検出回路１１４へ出力する。これにより、検出電極Ｙ２および検出電極Ｙ４が拾うＬＣＤ１０７等からの同相ノイズを除去することができ、タッチパネル装置２の検出感度を高めることができる。なお、図１５Ａにおいて、検出電極Ｙ２、Ｙ４のどちらにタッチがあったかについての検出は、差動増幅器１２６の検出信号の極性により特定することが可能である。検出対象物Ｆにより近い検出電極から出力される信号の電圧は図２Ｅに示すように低くなる。したがって、図１５Ａに示す回路では、差動増幅器１２６から出力された信号が正でありかつその信号の絶対値が所定の閾値以上である場合には、検出電極Ｙ４の近くにタッチされたと検出回路１１４は判定できる。また、差動増幅器１２６から出力された信号が負でありかつその信号の絶対値が所定の閾値以上である場合には検出電極Ｙ２の近くにタッチされたと検出回路１１４は判定できる。差動増幅器１２６から出力された信号の絶対値が所定の閾値未満である場合には検出電極Ｙ２、Ｙ４のいずれの近くにもタッチされていないと検出回路１１４は判定できる。
【００８６】
（変形例７）
図１５Ｂは、実施の形態２のタッチパネル装置の変形例７の構成図である。図１５Ｂは、図１３に示した変形例４の検出に関するものである。検出電極Ｙ２が２つの検出電極Ｙ２１および検出電極Ｙ２２に分割されている。駆動電極Ｘ５と交差する検出電極Ｙ２２からの検出信号が差動増幅器１２６の非反転入力端子に接続されている。一方、駆動電極Ｘ５と交差しない検出電極Ｙ２１からの検出信号は差動増幅器１２６の反転入力端子に接続されている。差動増幅器１２６は、検出電極Ｙ２２の検出信号と検出電極Ｙ２１の検出信号の差分を検出回路１１４へ出力する。これにより、検出電極Ｙ２１、Ｙ２２が拾うＬＣＤ１０７等からの同相ノイズを除去することができ、タッチパネル装置２の検出感度を高めることができる。なお、図１５Ｂにおいて、検出電極Ｙ２１、Ｙ２２のどちらにタッチがあったかについての検出は、差動増幅器１２６の検出信号の極性により特定することが可能である。図１５Ａに示す回路と同様に、図１５Ｂに示す回路では、差動増幅器１２６から出力された信号が正でありかつその信号の絶対値が所定の閾値以上である場合には、検出電極Ｙ２１の近くにタッチされたと検出回路１１４は判定できる。また、差動増幅器１２６から出力された信号が負でありかつその信号の絶対値が所定の閾値以上である場合には検出電極Ｙ２２の近くにタッチされたと検出回路１１４は判定できる。差動増幅器１２６から出力された信号の絶対値が所定の閾値未満である場合には検出電極Ｙ２１、Ｙ２２のいずれの近くにもタッチされていないと検出回路１１４は判定できる。
【００８７】
変形例６、７において、差動増幅器１２６の反転入力端子と非反転入力端子に接続される検出電極は図１５Ａと図１５Ｂに示す検出電極と逆であっても同様にタッチされた位置に近い検出電極を検出することができる。
【００８８】
（実施の形態３）
図１６と図１７は実施の形態３におけるタッチパネル装置３の構成図である。図１６において、図３に示す実施の形態１におけるタッチパネル装置１と同じ部分には同じ参照番号を付す。実施の形態３におけるタッチパネル装置３では、実施の形態１と異なり、１つの駆動電極の両端から交流信号が入力される。
【００８９】
図１６では、駆動電極Ｘ３と検出電極Ｙ５が選択された状態（交差点Ｐ３５のタッチを検出する状態）で、１つの交流信号源１１０により駆動電極Ｘ３の一方の端部Ｐｅ１および他方の端部Ｐｅ２から交流信号が入力されている。ここで、駆動電極Ｘ３の両端（端部Ｐｅ１および端部Ｐｅ２）は電気的に接続されている。すなわち、駆動電極切替スイッチの駆動電極Ｘ３と電気的に接続される一方の端子は、駆動電極Ｘ３のＹ軸方向の２つの端部と電気的に短絡状態で接続されている。この場合、交流信号源１１０から検出回路１１４まで交流信号が通過する経路としては、図１６に示すような経路１３１および経路１３２が存在する。経路１３１は、駆動電極Ｘ３の端部Ｐｅ１、交差点Ｐ３５を経由して検出回路１１４に至る経路である。経路１３２は、駆動電極Ｘ３の端部Ｐｅ２、交差点Ｐ３５を経由して検出回路１１４に至る経路である。ここで、経路１３１に含まれる駆動電極Ｘ３の長さは経路１３２に含まれる駆動電極Ｘ３の長さより短くなる。従って、経路１３１に含まれる駆動電極Ｘ３の抵抗Ｒｄ１は、経路１３２に含まれる駆動電極Ｘ３の抵抗Ｒｄ２よりも小さい。したがって、より大きな交流信号電流が経路１３１を流れることになる。
【００９０】
図１７では、駆動電極Ｘ３と検出電極Ｙ２が選択された状態（交差点Ｐ３２のタッチを検出する状態）で、１つの交流信号源１１０から駆動電極Ｘ３の一方の端部Ｐｅ１および他方の端部Ｐｅ２から交流信号が入力されている。ここで、駆動電極Ｘ３の２つの端部（端部Ｐｅ１および端部Ｐｅ２）は電気的に短絡状態で接続されている。この場合、交流信号源１１０から検出回路１１４まで交流信号電流が流れる経路としては、経路１３３および経路１３４が存在する。経路１３３は、駆動電極Ｘ３の端部Ｐｅ１、交差点Ｐ３２を経由して検出回路１１４に至る経路である。経路１３４は、駆動電極Ｘ３の端部Ｐｅ２、交差点Ｐ３２を経由して検出回路１１４に至る経路である。ここで、経路１３４に含まれる駆動電極Ｘ３の長さは経路１３３に含まれる駆動電極Ｘ３の長さより短くなる。従って、経路１３４に含まれる駆動電極Ｘ３の抵抗Ｒｄ４は、経路１３３に含まれる駆動電極Ｘ３の抵抗Ｒｄ３よりも小さい。したがって、より大きな交流信号電流が経路１３４を流れることになる。
【００９１】
このように、１つの駆動電極の両端を電気的に接続し、両端から交流信号電圧を印加すると、交流信号源１１０から検出回路１１４までのより短い経路（より抵抗の小さい経路）を通って、より多くの交流信号電流が流れる。したがって、駆動電極の一方の端部Ｐｅ１のみから交流信号電圧を印加する場合に比べて、伝送路の実効抵抗を小さくすることができるので、伝送路のカットオフ周波数ｆｃを高くすることが可能となる。同様に、伝送路の実効抵抗を小さくすることができるので、交流信号の伝送ロスを低減でき、低消費なタッチパネル装置３を実現できる。
【００９２】
図１６と図１７に示すタッチパネル装置３では、１つの駆動電極の両端から交流信号が入力されるが、同様の思想で、１つの検出電極の両端から検出信号を出力しても、検出電極の抵抗を下げることができ、カットオフ周波数ｆｃを高くすることができる。
【００９３】
図１８と図１９は実施の形態３における他のタッチパネル装置３Ａの構成図である。図１８と図１９において、図３に示す実施の形態１におけるタッチパネル装置１と同じ部分には同じ参照番号を付す。図１８に示すタッチパネル装置３Ａでは、駆動電極Ｘ２と検出電極Ｙ２が選択された状態（交差点Ｐ２２のタッチを検出する状態）で、交流信号源１１０から駆動電極Ｘ２へ交流信号が入力され、検出電極Ｙ２の一方の端部Ｐｓ１および他方の端部Ｐｓ２が１つの検出回路１１４に接続されている。ここで、検出電極Ｙ２の両端（端部Ｐｓ１および端部Ｐｓ２）は電気的に接続されている。すなわち、検出電極切替スイッチの検出電極Ｙ２と電気的に接続される一方の端子は、検出電極Ｙ２のＸ軸方向の両端部と電気的に短絡状態で接続されている。この場合、交流信号源１１０から検出回路１１４まで交流信号電流が流れる経路としては、経路１３５および経路１３６が存在する。経路１３５は、交流信号源１１０、交差点Ｐ２２、端部Ｐｓ１を経由して検出回路１１４に至る経路である。経路１３６は、交流信号源１１０、交差点Ｐ２２、端部Ｐｓ２を経由して検出回路１１４に至る経路である。ここで、経路１３５に含まれる検出電極Ｙ２の長さは経路１３６に含まれる検出電極Ｙ２の長さより短くなる。従って、経路１３５に含まれる検出電極Ｙ２の抵抗Ｒｓ１は、経路１３６に含まれる検出電極Ｙ２の抵抗Ｒｓ２よりも小さい。したがって、より多くの交流信号電流が経路１３５を流れることになる。
【００９４】
一方、図１９では、駆動電極Ｘ５と検出電極Ｙ２が選択された状態（交差点Ｐ２５のタッチを検出する状態）で、交流信号源１１０から駆動電極Ｘ５へ交流信号が入力され、検出電極Ｙ２の一方の端部Ｐｓ１および他方の端部Ｐｓ２を１つの検出回路１１４に接続されている。ここで、検出電極Ｙ２の両端（端部Ｐｓ１および端部Ｐｓ２）は電気的に接続されている。この場合、交流信号源１１０から検出回路１１４まで交流信号電流が流れる経路は、経路１３７および経路１３８が存在する。経路１３７は、交流信号源１１０、交差点Ｐ２５、端部Ｐｓ１を経由して検出回路１１４に至る経路である。経路１３８は、交流信号源１１０、交差点Ｐ２５、端部Ｐｓ２を経由して検出回路１１４に至る経路である。ここで、経路１３８に含まれる検出電極Ｙ２の長さは経路１３７に含まれる検出電極Ｙ２の長さより短くなる。従って、経路１３８に含まれる検出電極Ｙ２の抵抗Ｒｓ４は、経路１３７に含まれる検出電極Ｙ２の抵抗Ｒｓ３よりも小さい。したがって、より多くの交流信号電流は経路１３８を流れることになる。
【００９５】
このように、１つの検出電極の両端を電気的に接続し、この両端から交流信号を出力すると、交流信号源から検出回路までのもっとも短い経路（伝送抵抗の小さい経路）を通って交流信号電流は流れる。したがって、検出電極の一方の端部Ｐｓ１のみから交流信号電流を取り出す場合に比べて、伝送路の実効抵抗を小さくすることができるので、伝送路のカットオフ周波数ｆｃを高くすることが可能となる。同様に、伝送路の実効抵抗を小さくすることができるので、交流信号の伝送ロスを低減でき、低消費なタッチパネル装置３Ａを実現できる。
【００９６】
（実施の形態４）
図２０Ａは実施の形態４におけるタッチパネル装置１０００の断面模式図である。図２０Ｂはタッチパネル装置１０００の信号の波形を示す図である。図２０Ａにおいて、図１に示す実施の形態１におけるタッチパネル装置１と同じ部分には同じ参照番号を付す。実施の形態４では、ＬＣＤ１０７等から発生するノイズを効率よく遮蔽する。
【００９７】
図２０Ａに示すようにタッチパネル１０００にはＬＣＤ１０７と電極層１０８との間にシールド層１０６が配置されている。電極層１０８の近くにシールド層１０６が配置されていると、駆動電極１０４および検出電極１０２と、シールド層１０６との間に浮遊容量（図５Ａの浮遊容量Ｃｓ３、Ｃｓ６）が発生し、伝送路のカットオフ周波数ｆｃが下がる。実施の形態４におけるタッチパネル装置１０００は、シールド層１０６とグランドとの間に接続されて制御回路１１５により制御される接地スイッチＳＷ１０を更に備える。接地スイッチＳＷ１０の制御により、ＬＣＤ１０７等からのノイズを遮蔽しつつ、上記浮遊容量を低減することができる。
【００９８】
ＬＣＤ１０７では、自身の損傷を防ぐために、ＬＣＤ１０７の駆動信号の極性を周期的に反転している。この極性を反転する時の所定の期間Ｔｎ（以下、ノイズ期間Ｔｎという）にスパイク状のノイズが発生する。ノイズ期間Ｔｎは、画像を表示する画像表示フレーム期間Ｔ（例えば、１／６０Ｈｚ）のうちの所定の期間である。タッチパネル１０００の駆動電極１０４および検出電極１０２がこのノイズを拾うと誤検出の原因となる。ＬＣＤ１０７はノイズ期間Ｔｎでは、それ以外の期間より大きいノイズを発生する。
【００９９】
図２０Ｂに示すように、ノイズ期間Ｔｎの間はシールド層１０６をグランドに接続し、ノイズ期間Ｔｎを除く期間の一部または全部の期間はシールド層１０６をグランドから切り離すように制御回路１１５が接地スイッチＳＷ１０を制御する。
【０１００】
このような制御をすることにより、ＬＣＤ１０７から発生するノイズが駆動電極１０４および検出電極１０２に飛び込むのを遮蔽するとともに、駆動電極１０４および検出電極１０２とシールド層１０６との間の浮遊容量を低減することが可能となる。
【０１０１】
また、接地スイッチＳＷ１０を制御してシールド層１０６をグランドと接続しているノイズ期間Ｔｎは、浮遊容量が大きくなってカットオフ周波数が下がるので、制御回路１１５はノイズ期間Ｔｎだけ交流信号の周波数を低下させてカットオフ周波数以下となり、ノイズ期間Ｔｎ以外の期間での周波数より下げるように交流信号源１１０を制御してもよい。
【０１０２】
図２０Ｃは実施の形態４における他のタッチパネル装置１０００Ａの断面模式図である。図２０Ｃにおいて、図２０Ａに示すタッチパネル装置１０００と同じ部分には同じ参照番号を付す。図２０Ｃに示すタッチパネル装置１０００Ａは、インダクタンス素子１１１の代わりに、インダクタンスを変えられる可変インダクタンス素子１１１Ｖを備える。タッチパネル装置１０００Ａでは、交流信号の周波数を低くする際に、制御回路１１５は共振周波数を低くするように可変インダクタンス素子１１１Ｖのインダクタンスを切り替える。具体的には、制御回路１１５はノイズ期間Ｔｎでの可変インダクタンス素子１１１Ｖのインダクタンスをノイズ期間Ｔｎ以外の期間より大きくして、接地スイッチＳＷ１０が導通することで浮遊容量が大きくなっても、共振周波数を交流信号の周波数に一致させることができる。これにより高感度なタッチパネル装置１０００Ａを実現できる。可変インダクタンス素子１１１Ｖは、例えば、制御回路１１５により選択される複数のインダクタンス素子により構成することができる。もしくは、可変インダクタンス素子１１１Ｖは、直列に接続された複数のインダクタンス素子と、それらのインダクタンス素子にそれぞれ並列接続された複数のスイッチとで構成することもできる。
【０１０３】
（実施の形態５）
図２１は実施の形態５におけるタッチパネル装置１００５の構成図である。図２１において、図３に示す実施の形態１におけるタッチパネル装置１と同じ部分には同じ参照番号を付す。実施の形態５におけるタッチパネル装置１００５は、ＬＣＤ１０７（図１）等から発生するノイズを効率よく遮蔽する。
【０１０４】
図３に示す実施の形態１におけるタッチパネル装置１では、タッチパネル１００において選択されていない電極（駆動電極および検出電極）はグランドに接続されて、ＬＣＤ１０７等からのノイズが選択された電極に影響を与えるのを防止している。しかしながら、選択された電極の周囲の電極がグランドに接続されている状態では、選択された電極と周囲の電極との間の浮遊容量Ｃｓ１、Ｃｓ２、Ｃｓ４、Ｃｓ５（図５Ａ）が大きくなり、交流信号源１１０から検出回路１１４までの伝送路のカットオフ周波数ｆｃが低くなる。その結果、交流信号源１１０から入力された交流信号の減衰量が大きくなり、タッチパネル１００の検出感度が低下する。
【０１０５】
実施の形態５におけるタッチパネル装置１００５では、制御回路１１５は選択電極との間の浮遊容量が最も大きい選択電極に隣り合う電極のみをグランドと交流信号源１１０と検出回路１１４とから切り離して開放し、選択電極とそれに隣り合う電極、選択電極以外の電極をグランドに接続するように、駆動電極切替スイッチ１１２および検出電極切替スイッチ１１３を制御する。例えば、図２１に示すように、或る駆動電極Ｘ３と或る検出電極Ｙ３が選択された状態では、制御回路１１５は或る駆動電極Ｘ３に隣り合う別の駆動電極Ｘ２、Ｘ４および或る検出電極Ｙ３に隣り合う別の検出電極Ｙ２、Ｙ４をグランドと交流信号源１１０と検出回路１１４とから切り離して開放し、駆動電極Ｘ１、Ｘ５、Ｘ６および検出電極Ｙ１、Ｙ５、Ｙ６をグランドに接続するように駆動電極切替スイッチ１１２および検出電極切替スイッチ１１３を制御する。
【０１０６】
このような制御により、カットオフ周波数ｆｃの低下を防ぎ、かつＬＣＤ１０７等からのノイズの遮蔽を両立させることが可能となり、検出感度の高いタッチパネル装置１００５を実現できる。更に、選択電極に近接した電極がグランドから切り離されるので、選択電極から放射される電磁界強度が大きくなり、より遠方の検出対象物の検知が可能となる。
【０１０７】
なお、グランドから切り離す電極は駆動電極および検出電極の両方である必要はなく、少なくとも一方の電極であってもよい。また、図２０Ａと図２０Ｃに示す実施の形態４におけるタッチパネル装置１０００、１０００Ａと同様に、制御回路１１５はノイズ期間Ｔｎの間は選択電極以外をグランドに接続し、ノイズ期間Ｔｎを除く期間の一部または全部で選択電極に隣り合う電極をグランドと切り離すようにしてもよい。また、グランドとの接続を切り離す電極は、隣り合う電極のみでなく、さらに選択電極から離れた電極をグランドから切り離してもよい。
【０１０８】
（実施の形態６）
実施の形態６におけるタッチパネル装置６について図２２〜図２４Ｂを用いて説明する。実施の形態１〜５におけるタッチパネル装置は、相互容量型のタッチパネル装置であるが、実施の形態６におけるタッチパネル装置は自己容量型のタッチパネル装置である。
【０１０９】
まず自己容量型のタッチパネル装置の動作原理を簡単に説明する。相互容量型が格子状に配列された駆動電極と検出電極の交差部の相互容量の変化を検出するのに対して、自己容量型は１つの電極が駆動電極と検出電極の役割を果たし、電極自身とグランド間の静電容量（自己容量）の変化を検出するものである。
【０１１０】
図２２は、実施の形態６におけるタッチパネル装置６に搭載されるタッチパネル２００の断面模式図である。図２２において、図１に示す実施の形態１におけるタッチパネル１００と同じ部分には同じ参照番号を付す。タッチパネル２００は自己容量型のタッチパネルであり、相互容量型のタッチパネル１００とほぼ同様の構造を有する。タッチパネル２００は、図２２に示すように、絶縁層であるガラス層１０３と、ガラス層１０３を挟んで互いに対向するＹ電極２０２とＸ電極２０４とを備える。ガラス層１０３とＹ電極２０２とＸ電極２０４は電極層２０８を構成する。Ｙ電極２０２とＸ電極２０４は互いに直角に延びるように格子状に配列されている。それぞれの電極には、交流信号源から交流信号である駆動電圧Ｖｓが印加され、各電極の自己容量の変化を交流信号電圧の変化として検出する。Ｙ電極２０２はＸ電極２０４に比べて保護層１０１の近くに位置する。Ｘ電極２０４、Ｙ電極２０２はともに同じ原理で動作するので、以下、保護層１０１すなわち表面により近いＹ電極２０２について説明する。
【０１１１】
図２３Ａから図２３Ｄは自己容量型のタッチパネル装置６の動作原理を説明する図である。図２３Ａはタッチパネル装置６のタッチパネル２００の電極層２０８の断面模式図である。図２３Ｂは図２３Ａに示すタッチパネル２００の等価回路図である。図２３ＣはＹ電極２０２に印加される駆動電圧Ｖｓの波形を示す。図２３Ｄは操作者の指等の検出対象物Ｆのタッチが無い場合の検出電圧Ｖｄ３の波形および、タッチがある場合の検出電圧Ｖｄ４の波形を示す。
【０１１２】
Ｙ電極２０２とグランドの間には浮遊容量Ｃｓｙが存在している。この状態で、検出対象物Ｆがタッチパネル２００の表面にタッチするとＹ電極２０２と検出対象物Ｆとの間で静電容量Ｃｅｙが発生する。静電容量Ｃｅｙにより、浮遊容量Ｃｓｙに充電された電荷の一部が指を通してグランドに逃げるので、検出電圧Ｖｄ４は、タッチのない場合の検出電圧Ｖｄ３より小さくなる。従って、予め設定した閾値電圧Ｖｔｈと検出電圧Ｖｄを比較することで、タッチパネル２００へのタッチを検出することが可能となる。Ｘ電極２０４もＹ電極２０２と同様に動作する。
【０１１３】
図２４Ａは、実施の形態６におけるタッチパネル装置６の構成図である。図２４Ａに示すように、タッチパネル装置６は、タッチパネル２００と、交流信号源２１０ａ、２１０ｂと、Ｘ電極切替スイッチ２１２ａと、Ｙ電極切替スイッチ２１２ｂと、検出回路２１４ａ、２１４ｂと、制御回路２１５とを備える。
【０１１４】
図２４Ａにおいて、タッチパネル２００の長手方向をＸ軸、Ｘ軸に直交する方向をＹ軸とする。タッチパネル２００は、複数のＸ電極２０４（第１の電極）と、複数のＹ電極２０２（第２の電極）から構成される。複数のＸ電極２０４は、Ｘ軸方向（第１の方向）に略等間隔に配列され、Ｙ軸方向（第２の方向）に延在する。複数のＹ電極２０２は、Ｙ軸方向に略等間隔に配列され、Ｘ軸方向に延在する。説明を簡単にするために本実施の形態では、Ｘ電極２０４は６本のＸ電極ＸＳ１〜ＸＳ６から構成され、Ｙ電極２０２は６本のＹ電極ＹＳ１〜ＹＳ６から構成されているものとする。Ｘ電極ＸＳ１〜ＸＳ６はＹ電極ＹＳ１〜ＹＳ６と直角に延びてガラス層１０５を介して互いに対向するように格子状に配列されている。
【０１１５】
交流信号源２１０ａは、インダクタンス素子２１１ａを介してＸ電極切替スイッチ２１２ａ（第１の電極切替スイッチ）および検出回路２１４ａに接続されている。Ｘ電極切替スイッチ２１２ａはＸ電極ＸＳ１〜ＸＳ６に接続されている。交流信号源２１０ｂはインダクタンス素子２１１ｂを介してＹ電極切替スイッチ２１２ｂ（第２の電極切替スイッチ）および検出回路２１４ｂに接続されている。Ｙ電極切替スイッチ２１２ｂはＹ電極ＹＳ１〜ＹＳ６に接続されている。
【０１１６】
Ｘ電極切替スイッチ２１２ａおよびＹ電極切替スイッチ２１２ｂは、制御回路２１５により制御される。Ｘ電極切替スイッチ２１２ａおよびＹ電極切替スイッチ２１２ｂの構成および動作は、実施の形態１の駆動電極切替スイッチ１１２および検出電極切替スイッチ１１３と同様に動作する。
【０１１７】
タッチパネル装置６においては、Ｘ電極ＸＳ１〜ＸＳ６とグランドとの間には浮遊容量Ｃｓｘが存在する。交流信号源２１０ａから検出回路２１４ａまでの伝送路の直列共振回路の共振周波数ｆｒｅｓｘは、インダクタンス素子２１１ａのインダクタンスＬａの値と浮遊容量Ｃｓｘとで決まり、（数３）で表される。
【０１１８】
【数３】
2014052997.tif 000005
【０１１９】
従って、交流信号源２１０ａから周波数ｆｒｅｓｘの交流信号電圧を印加すると共振電流が流れ、実施の形態１におけるタッチパネル装置１と同じようにタッチパネル装置６の検出感度を高くすることができる。
【０１２０】
また、交流信号源２１０ａから検出回路２１４ａまでの伝送路のカットオフ周波数ｆｃｘは、Ｘ電極ＸＳ１〜ＸＳ６の抵抗Ｒｘと、浮遊容量Ｃｓｘとの積で決まる時定数（Ｒｘ×Ｃｓｘ）の逆数に比例する。すなわち、カットオフ周波数ｆｃｘは（数４）で表される。
【０１２１】
【数４】
2014052997.tif 000006
【０１２２】
従って、Ｘ電極ＸＳ１〜ＸＳ６を含む伝送路のカットオフ周波数ｆｃｘを高くするためには、抵抗Ｒｘおよび浮遊容量Ｃｓｘの少なくとも一方を小さくする必要がある。
【０１２３】
同様に、Ｙ電極ＹＳ１〜ＹＳ６とグランドとの間には浮遊容量Ｃｓｙが存在する。交流信号源２１０ｂから検出回路２１４ｂまでの伝送路の直列共振回路の共振周波数ｆｒｅｓｙは、インダクタンス素子２１１ｂのインダクタンスＬｂの値と浮遊容量Ｃｓｙとで決まり、（数５）で表される。
【０１２４】
【数５】
2014052997.tif 000007
【０１２５】
従って、交流信号源２１０ｂから周波数ｆｒｅｓｙの交流信号電圧を印加すると共振電流が流れ、実施の形態１におけるタッチパネル装置１と同じようにタッチパネル装置６の検出感度を高くすることができる。
【０１２６】
また、交流信号源２１０ｂから検出回路２１４ｂまでの伝送路のカットオフ周波数ｆｃｙは、Ｙ電極ＹＳ１〜ＹＳ６の抵抗Ｒｙと、浮遊容量Ｃｓｙとの積で決まる時定数（Ｒｙ×Ｃｓｙ）の逆数に比例する。すなわち、カットオフ周波数ｆｃｙは（数６）で表される。
【０１２７】
【数６】
2014052997.tif 000008
【０１２８】
従って、Ｙ電極ＹＳ１〜ＹＳ６を含む伝送路のカットオフ周波数ｆｃｙを高くするためには、抵抗Ｒｙおよび浮遊容量Ｃｓｙの少なくとも一方を小さくする必要がある。
【０１２９】
このように、実施の形態６によれば、自己容量型のタッチパネル装置６でも、交流信号源と電極間にインダクタンス素子を接続することで、共振回路を構成し、電極に共振電流を流すことによって、電極周囲の電界強度を高めることができ、検出感度を向上させることが可能となる。
【０１３０】
また、上述したように、自己容量型のタッチパネル装置は、相互容量型のタッチパネル装置と検出原理は異なるが、伝送路の共振周波数を決める要因、カットオフ周波数を決める要因、ＬＣＤからのノイズの影響等は相互容量型のタッチパネル装置と同様である。従って、実施の形態１〜実施の形態５におけるタッチパネル装置の技術は、実施の形態６におけるタッチパネル装置６にも同様に適用でき、同様の効果を有する。
【０１３１】
図２４Ｂは実施の形態６における他のタッチパネル装置６Ａの構成図である。図２４Ｂにおいて、図２４Ａに示すタッチパネル装置６と同じ部分には同じ参照番号を付す。タッチパネル装置６Ａは図２４Ａに示すタッチパネル装置６のインダクタンス素子２１１ａ、２１１ｂの代わりにインダクタンス素子２１１ａ−１〜２１１ａ−６、２１１ｂ−１〜２１１ｂ−６を備え、Ｘ電極切替スイッチ１２１２ａとＹ電極切替スイッチ１２１２ｂとを更に備える。図８に示す実施の形態１におけるタッチパネル装置１００４と同様に、交流信号が入力されるＸ電極ＸＳ１〜ＸＳ６とＸ電極切替スイッチ２１２ａとの間にインダクタンス素子２１１ａ−１〜２１１ａ−６がそれぞれ直列に接続され、交流信号が入力されるＹ電極ＹＳ１〜ＹＳ６とＹ電極切替スイッチ２１２ｂとの間にインダクタンス素子２１１ｂ−１〜２１１ｂ−６がそれぞれ直列に接続されている。Ｘ電極切替スイッチ１２１２ａはＸ電極切替スイッチ２１２ａと同様に、Ｘ電極ＸＳ１〜ＸＳ６を順次検出回路２１４ａに接続し、Ｙ電極切替スイッチ１２１２ｂはＹ電極切替スイッチ２１２ｂと同様に、Ｙ電極ＹＳ１〜ＹＳ６を順次検出回路２１４ｂに接続する。詳細には、Ｘ電極切替スイッチ２１２ａがインダクタンス素子２１１ａ−ｍ（１≦ｍ≦６）を交流信号源２１０ａに接続しているときに、Ｘ電極切替スイッチ１２１２ａはＸ電極ＸＳｍを検出回路２１４ａに接続する。また、Ｙ電極切替スイッチ２１２ｂがインダクタンス素子２１１ｂ−ｎ（１≦ｎ≦６）を交流信号源２１０ｂに接続しているときに、Ｙ電極切替スイッチ１２１２ｂはＹ電極ＹＳｎを検出回路２１４ｂに接続する。この動作により、Ｘ電極ＸＳ１〜ＸＳ６とＹ電極ＹＳ１〜ＹＳ６のそれぞれに対して図２４Ａに示すタッチパネル装置６と同様の回路を形成でき、検出対象物Ｆがタッチパネル２００にタッチした位置を高感度に且つ高精度に検出することができる。
【０１３２】
（実施の形態７）
図２５Ａは実施の形態７におけるタッチパネル装置１００７の断面模式図である。図２５Ａにおいて、図１に示す実施の形態１におけるタッチパネル装置１と同じ部分には同じ参照番号を付す。図２５Ａに示すタッチパネル装置１００７は、実施の形態１におけるタッチパネル装置１の駆動電極１０４の入力側とグランドとの間に直列に接続されたインダクタンス素子１４０を更に備える。すなわち、駆動電極１０４のインダクタンス素子１１１と電気的に接続されている一方の端部とグランドとの間にインダクタンス素子１４０が直列に接続されている。ここで、交流信号源１１０の交流信号の周波数において、インダクタンス素子１４０と駆動電極１０４の浮遊容量Ｃｓｄとが共振するように、インダクタンス素子１４０のインダクタンスを選択することで、駆動電極１０４の浮遊容量Ｃｓｄを見かけ上小さくすることができる。これにより、駆動電極のカットオフ周波数を上げることが可能となり、インダクタンス素子１１１のインダクタンスを小さくすることができる。これにより、インダクタンス素子１１１における抵抗ロスを低減でき、タッチパネル装置１００７の感度を高めることができる。
【０１３３】
図２５Ｂは実施の形態７における他のタッチパネル装置１００７Ａの断面模式図である。図２５Ｂにおいて、図１に示す実施の形態１におけるタッチパネル装置１と同じ部分には同じ参照番号を付す。図２５Ｂに示すタッチパネル装置１００７Ａは、実施の形態１におけるタッチパネル装置１の駆動電極１０４の出力側の端部とグランドとの間に直列に接続されたシャント用のコンデンサ１４１を更に備える。すなわち、インダクタンス素子１１１と電気的に接続される駆動電極１０４の延在する方向の少なくとも一方の端部とグランドの間にコンデンサ１４１が直列に接続されている。これにより、駆動電極１０４の共振周波数を下げることが可能となり、結果、インダクタンス素子１１１のインダクタンスを低減させることができる。これにより、インダクタンス素子１１１における抵抗ロスを低減でき、タッチパネル装置１００７Ａの感度を高めることができる。
【０１３４】
（実施の形態８）
図２６は実施の形態８におけるタッチパネル装置のタッチパネル２２１の構成図である。図２６において、図２４Ａに示す実施の形態６におけるタッチパネル装置６のタッチパネル２００と同じ部分には同じ参照番号を付す。一般的に長軸の電極（図２６ではＹ電極）は、短軸の電極（図２６ではＸ電極）に比べて抵抗が大きくなる。図２６に示すタッチパネル２２１では、長軸の電極の延びるＸ軸の方向と直角の方向の幅Ｗ１を、短軸の電極の延びるＹ方向と直角の方向の幅Ｗ２よりも広くする。これにより、交流信号源から検出器までの伝送路のカットオフ周波数を高くすることができる。
【０１３５】
図２７は実施の形態８における他のタッチパネル装置のタッチパネル２２２の構成図である。図２６において、図２２と図２４Ａに示す実施の形態６におけるタッチパネル装置６のタッチパネル２００と同じ部分には同じ参照番号を付す。一般的にシールド層１０６により近い電極（図２７ではＸ電極）は、シールド層１０６からより遠い電極（図２７ではＹ電極）に比べてシールド層１０６との浮遊容量が大きくなる。図２７に示す実施の形態８におけるタッチパネル２２２では、シールド層１０６から近いＸ電極の延びるＹ軸の方向と直角の方向の幅Ｗ４をシールド層１０６から遠いＹ電極の延びるＸ軸の方向と直角の方向の幅Ｗ３よりも広くすることが好ましい。これにより、シールド層１０６から近いＸ電極の抵抗を下げることができ、交流信号源から検出器までの伝送路のカットオフ周波数を高くすることができる。
【０１３６】
なお、図２５Ａから図２７に示す実施の形態７、８におけるタッチパネル装置の構成は、実施の形態１〜６におけるタッチパネル装置の全てに適用でき、同じ効果を有する。
【０１３７】
（実施の形態９）
図２８は実施の形態９におけるタッチパネル装置の構成図である。図２８において、図１に示す実施の形態１におけるタッチパネル装置１と同じ部分には同じ参照番号を付す。図２８に示すタッチパネル装置１００９は実施の形態１におけるタッチパネル１００の代わりにタッチパネル１０１９を備える。タッチパネル１０１９では駆動電極Ｘ１〜Ｘ６の延びる方向は検出電極Ｙ１〜Ｙ６の延びる方向と直角ではない。しかし、実施の形態１におけるタッチパネル装置１と同様に、駆動電極Ｘ１〜Ｘ６が検出電極Ｙ１〜Ｙ６に対向する交差部のうち、検出対象物Ｆがタッチした交差部を高感度に検出することができ、同様の効果を有する。
【０１３８】
なお、図１に示す実施の形態１におけるタッチパネル装置１では、タッチパネル１００は１つのみの駆動電極Ｘ１と、駆動電極Ｘ１に対向する１つのみの検出電極Ｙ１とを備えてもよい。このタッチパネル装置は検出対象物がタッチパネル１００にタッチしたか否かを高感度に検出するタッチセンサとして用いることができ、実施の形態１におけるタッチパネル装置１と同様の効果を有する。
【０１３９】
なお、実施の形態９におけるタッチパネル装置の構成は、実施の形態１〜８におけるタッチパネル装置の全てに適用でき、同じ効果を有する。
【０１４０】
以上説明したように、実施の形態１〜８におけるタッチパネル装置は、簡単な構成で検出位置精度および検出感度をともに高くすることが可能である。
【０１４１】
なお、上記実施の形態では、タッチパネル１００、２００にはＬＣＤ１０７が装着される。タッチパネル表面に画像を表示せずにタッチ検出する用途ではＬＣＤ１０７は必ずしも不可欠な構成部品ではない。
【０１４２】
また、上記実施の形態では、駆動電極１０４、検出電極１０２、Ｘ電極２０４およびＹ電極２０２は、略等間隔で配列されているが、必ずしも等間隔で配列されていなくてもよく、位置により異なった間隔で配列されていてもよい。例えば、タッチパネル１００で、指が頻繁にタッチされる領域が特定されていれば、その領域の電極１０２、１０４の間隔を他の領域より狭く配置することで、タッチ位置の分解能を高めることができる。
【０１４３】
また、上記実施の形態では、制御回路１１５、２１５は駆動電極切替スイッチ１１２、検出電極切替スイッチ１１３、Ｘ電極切替スイッチ２１２ａおよびＹ電極切替スイッチ２１２ｂを順次切り替えるが、電極の切り替えは必ずしも順次行われていなくてもよく、１本以上の電極を飛ばしながら切り替えてもよい。
【０１４４】
また、制御回路１１５、２１５は複数の電極を同時に選択するように電極切替スイッチ１１２、１１３、２１２ａ、２１２ｂを切り替えてもよい。
【０１４５】
例えば、図３に示すタッチパネル装置１では、制御回路１１５は、複数の駆動電極Ｘ１〜Ｘ６のうち互いに隣り合う複数の駆動電極Ｘ１、Ｘ２を同時にインダクタンス素子１１１に接続維持し、その後、駆動電極Ｘ１をインダクタンス素子１１１から切り離して互いに隣り合う駆動電極Ｘ２、Ｘ３を同時にインダクタンス素子１１１に接続維持するように駆動電極切替スイッチ１１２を制御してもよい。これにより、タッチパネル装置１の感度を上げることができる。図８に示すタッチパネル装置１００４も同様に動作させても良い。
【０１４６】
また、図２４Ａに示すタッチパネル装置６では、複数のＸ電極ＸＳ１〜ＸＳ６のうち互いに隣り合う複数のＸ電極ＸＳ１、ＸＳ２を同時にインダクタンス素子２１１ａに接続維持して複数のＹ電極ＹＳ１〜ＹＳ６のうち互いに隣り合う複数のＹ電極ＹＳ１、ＹＳ２を同時にインダクタンス素子２１１ｂに接続維持し、その後、電極ＸＳ１、ＹＳ１をインダクタンス素子２１１ａ、２１１ｂから切り離して互いに隣り合う複数のＸ電極ＸＳ２、ＸＳ３を同時にインダクタンス素子２１１ａに接続して互いに隣り合う複数のＹ電極ＹＳ２、ＹＳ３を同時にインダクタンス素子２１１ｂに接続するように電極切替スイッチ２１２ａ、２１２ｂを制御してもよい。これにより、タッチパネル装置６の感度を上げることができる。図２４Ｂに示すタッチパネル装置６Ａも同様に動作させても良い。
【０１４７】
上記において、同時に選択される複数の電極は互いに隣り合っていなくてもよい。
【０１４８】
また、上記実施の形態では、検出回路１１４、２１４は、検出電極１０２、Ｙ電極２０２から交流信号を入力して電極間または電極とグランドとの間の静電容量の変化を検出するが、必ずしも交流信号でなくてもよく、直流信号など他の信号であってもよい。
【０１４９】
また、実施の形態２では、駆動電極１０４および検出電極１０２は、それぞれの電極が延在する方向の略中央部において電極を分割されるが、必ずしも電極の略中央部で電極を分割する必要はなく、電極の延在する方向における略中央部以外の任意の位置で電極を分割してもよい。また、タッチパネルの使用状態等を勘案し、各電極において分割位置が異なっていても良い。これにより、例えば駆動電極を分割した場合、交流信号が駆動電極を伝送する際に、駆動電極において損失されるエネルギー損失量を最大限抑圧でき、高感度なタッチパネル装置を実現できる。更に、上記実施の形態においては、電極を２つに分割するが、３つ以上の電極に分割しても、同様の効果が得られる。
【０１５０】
尚、上記のすべての実施の形態におけるタッチパネル装置において、交流信号として矩形波を用いてもよい。各電極の共振周波数は、電極ごとにばらつく場合がある。この場合には、交流信号として正弦波を採用した場合、交流信号の周波数と各電極の共振周波数とが大きく異なり、感度の低い電極が発生する恐れがある。そこで、正弦波より広い周波数占有帯域を有する矩形波を交流信号として用いる事により、各電極の共振周波数がばらついたとしても、交流信号の周波数と各電極の共振周波数とが大きく異なることを防ぐことができる。
【０１５１】
尚、相互容量型タッチパネルを用いた実施の形態に係るタッチパネル装置は、駆動電極（第１の電極）１０４と検出電極（第２の電極）１０２とを有するタッチパネル１００と、所定の周波数の交流信号を駆動電極１０４に入力する交流信号源１１０と、交流信号源１１０と駆動電極１０４との間に電気的に直列接続されたインダクタンス素子１１１と、検出回路１１４とを備える。検出回路１１４は、検出対象物がタッチパネル１００の表面にタッチした際の駆動電極１０４と検出電極１０２の間の静電容量の変化を検出電極１０２から出力される信号の変化により検出してもよい。尚、駆動電極１０４と検出電極１０２とは、相互に、直流的に絶縁された状態で配置されている。
【０１５２】
例えば、実施の形態１〜５に示したタッチパネル装置では、駆動電極１０４は、Ｘ軸方向（第１の方向）に略等間隔に配列され、Ｘ軸方向と直交するＹ軸方向（第２の方向）に延在しており、検出電極１０２（第２の電極）は、Ｙ軸方向に略等間隔に配列され、Ｘ軸方向に延在している。しかし、駆動電極１０４および検出電極１０２の構成はこれに限られる必要は無く、駆動電極１０４および検出電極１０２は任意の方向に配列および延在していてもよい。実施の形態１〜５におけるタッチパネル装置の効果は、駆動電極１０４および検出電極１０２の配列方向および延在方向が任意であっても同様に発揮される。尚、駆動電極１０４および検出電極１０２が任意の方向に配列および延在されている構成において、駆動電極１０４及び検出電極１０２とは、複数の電極から構成されている場合だけでなく、１つの電極から構成される場合も含んでいる。
【０１５３】
また、上述の通り、駆動電極１０４および検出電極１０２の配列方向および延在方向が任意方向であった場合に、駆動電極１０４（第１の電極）と検出電極１０２（第２の電極）とは共にタッチパネル１００の同一層に形成される構成であってもよい。例えば、駆動電極１０４および検出電極１０２が相互に交差しないように、駆動電極１０４および検出電極１０２の配列方向、延在方向が決定されている場合には、タッチパネル１００の同一層に駆動電極１０４および検出電極１０２の両方が形成されていても、相互に短絡することはない。このように、駆動電極１０４および検出電極１０２の両方の電極をタッチパネル１００の同一層に形成する事により、タッチパネル１００の薄型化や製造プロセスの簡易化を図ることができる。
【０１５４】
尚、相互容量型タッチパネルを用いた実施の形態に係るタッチパネル装置は、タッチパネル１００と交流信号源１１０とインダクタンス素子１１１と検出回路１１４とを備える。タッチパネル１００は、第１の方向に任意の間隔で配列され、第１の方向と異なる第２の方向へ延在する駆動電極１０４（第１の電極）と、第３の方向に任意の間隔で配列され、第３の方向と異なり且つ第２の方向と立体交差する第４の方向へ延在し、駆動電極１０４と絶縁層を挟んで対向配置された検出電極１０２（第２の電極）とを有する。交流信号源１１０は、所定の周波数の交流信号を駆動電極１０４に入力する。インダクタンス素子１１１は交流信号源１１０と駆動電極１０４との間に電気的に直列接続されている。検出回路１１４は、検出対象物がタッチパネル１００の表面にタッチした際の駆動電極１０４と検出電極１０２の交差部の静電容量の変化を検出電極１０２から出力される信号の変化により検出する。例えば、実施の形態１〜５に示したタッチパネル装置では、駆動電極１０４は、Ｘ軸方向（第１の方向）に略等間隔に配列され、Ｘ軸方向と直交するＹ軸方向（第２の方向）に延在しており、検出電極１０２（第２の電極）は、Ｙ軸方向に略等間隔に配列され、Ｘ軸方向に延在しているが、駆動電極１０４および検出電極１０２の構成はこれに限られる必要は無い。具体的には、駆動電極１０４の延在方向（第２の方向）と検出電極１０２の延在方向（第４の方向）とが立体交差する関係であり、且つ、第１の方向と第２の方向が異なり、且つ、第３の方向と第４の方向とが異なるという条件を満たしさえすれば、第１、２、３、４の方向は自由に選択することができる。例えば、第１の方向と第３の方向とが同一方向でも良いし、または、第１の方向と第４の方向とが同一方向でもよいし、または、第２の方向と第３の方向とが同一方向でもよい。第１、２、３、４の方向がこのような関係であったとしても、実施の形態１〜５におけるタッチパネル装置の効果は同様に発揮される。
【０１５５】
尚、上記の相互容量型タッチパネルを用いた実施の形態におけるタッチパネル装置において、駆動電極１０４（第１の電極）と検出電極１０２（第２の電極）とは共に複数の電極で構成されていてもよい。そのタッチパネル装置は、複数の駆動電極１０４の中から、交流信号が入力される電極を選択する駆動電極切替スイッチ１１２（第１の電極切替スイッチ）と、複数の検出電極１０２の中から出力される信号が検出回路１１４において検出される電極を選択する検出電極切替スイッチ１１３（第２の電極切替スイッチ）と、駆動電極切替スイッチ１１２と検出電極切替スイッチ１１３を制御する制御回路１１５とを備えた構成であっても良い。つまり、駆動電極切替スイッチ１１２は、複数の駆動電極１０４の中から交流信号が入力される電極を選択する機能を有しており、検出電極切替スイッチ１１３は、複数の検出電極１０２の中から、出力される信号が検出回路１１４において検出される電極を選択する機能を有していれば、上記の相互容量型タッチパネルを用いた実施の形態におけるタッチパネル装置の効果を発揮する事ができる。
【０１５６】
自己容量型タッチパネルを用いた実施の形態に係るタッチパネル装置は、Ｘ電極２０４（第１の電極）とＹ電極２０２（第２の電極）とを有するタッチパネル２００と、所定の周波数の交流信号をＸ電極２０４およびＹ電極２０２にそれぞれ入力する交流信号源２１０ａ、２１０ｂと、交流信号源２１０ａとＸ電極２０４との間に電気的に直列接続されたインダクタンス素子２１１ａと、検出回路１１４ａ、１１４ｂとを備える。検出回路１１４ａ、１１４ｂは検出対象物がタッチパネル２００の表面にタッチした際のＸ電極２０４とグランドとの間の静電容量の変化またはＹ電極２０２とグランドとの間の静電容量の変化をＸ電極２０４とＹ電極２０２とから出力される信号の変化により検出する。例えば、実施の形態６におけるタッチパネル装置６では、Ｘ電極２０４は、Ｘ軸方向（第１の方向）に略等間隔に配列され、Ｘ軸方向と直交するＹ軸方向（第２の方向）に延在しており、Ｙ電極２０２（第２の電極）は、Ｙ軸方向に略等間隔に配列され、Ｘ軸方向に延在しているが、Ｘ電極２０４およびＹ電極２０２の構成はこれに限られる必要は無く、Ｘ電極２０４およびＹ電極２０２は任意の方向に配列および延在していてもよい。実施の形態６におけるタッチパネル装置６の効果は、Ｘ電極２０４およびＹ電極２０２の配列方向および延在方向が任意であっても同様に発揮される。尚、Ｘ電極２０４およびＹ電極２０２が任意の方向に配列および延在されている構成において、Ｘ電極２０４及びＹ電極２０２とは、複数の電極から構成されている場合だけでなく、１つのみの電極から構成される場合も含んでいる。この場合、図２４ＡにおけるＸ電極切替スイッチ２１２ａ、Ｙ電極切替スイッチ２１２ｂが不要となる。
【０１５７】
また、上述の通り、Ｘ電極２０４およびＹ電極２０２の配列方向および延在方向が任意方向であった場合に、Ｘ電極２０４（第１の電極）とＹ電極２０２（第２の電極）とは共にタッチパネル２００の同一層に形成される構成であってもよい。例えば、Ｘ電極２０４およびＹ電極２０２が相互に交差しないように、Ｘ電極２０４およびＹ電極２０２の配列方向、延在方向が決定されている場合には、タッチパネル２００の同一層にＸ電極２０４およびＹ電極２０２の両方が形成されていても、相互に短絡することはない。このように、Ｘ電極２０４およびＹ電極２０２の両方の電極をタッチパネル２００の同一層に形成する事により、タッチパネル２００の薄型化や製造プロセスの簡易化を図ることができる。
【０１５８】
尚、自己容量型タッチパネルを用いた実施の形態に係るタッチパネル装置は、タッチパネル２００と交流信号源２１０ａ、２１０ｂとインダクタンス素子２１１ａ、２１１ｂと検出回路２１４ａ、２１４ｂとを備える。タッチパネル２００は、第１の方向に任意の間隔で配列され、第１の方向と異なる第２の方向へ延在する複数のＸ電極２０４（第１の電極）と、第３の方向に任意の間隔で配列され、第３の方向と異なり且つ第２の方向と交差する第４の方向へ延在し、Ｘ電極２０４と絶縁層を挟んで対向配置された複数のＹ電極２０２（第２の電極）とを有する。交流信号源２１０ａ、２１０ｂは、所定の周波数の交流信号をＸ電極２０４およびＹ電極２０２に入力する。インダクタンス素子２１１ａは交流信号源２１０ａとＸ電極２０４との間に電気的に直列接続されている。インダクタンス素子２１１ｂは交流信号源２１０ａとＹ電極２０２との間に電気的に直列接続されている。検出回路２１４ａ、２１４ｂは検出対象物がタッチパネル２００の表面にタッチした際のＸ電極２０４とグランドとの間の静電容量の変化またはＹ電極２０２とグランドとの間の静電容量の変化をＸ電極２０４とＹ電極２０２とから出力される信号の変化により検出する。例えば、実施の形態６に示したタッチパネル装置６では、Ｘ電極２０４は、Ｘ軸方向（第１の方向）に略等間隔に配列され、Ｘ軸方向と直交するＹ軸方向（第２の方向）に延在しており、Ｙ電極２０２（第２の電極）は、Ｙ軸方向に略等間隔に配列され、Ｘ軸方向に延在しているが、Ｘ電極２０４およびＹ電極２０２の構成はこれに限られる必要は無い。具体的には、Ｘ電極２０４の延在方向（第２の方向）とＹ電極２０２の延在方向（第４の方向）とが立体交差する関係であり、且つ、第１の方向と第２の方向が異なり、且つ、第３の方向と第４の方向とが異なるという条件を満たしさえすれば、第１、２、３、４の方向は自由に選択することができる。例えば、第１の方向と第３の方向とが同一方向でも良いし、または、第１の方向と第４の方向とが同一方向でもよいし、または、第２の方向と第３の方向とが同一方向でもよい。第１、２、３、４の方向がこのような関係であったとしても、実施の形態６におけるタッチパネル装置の効果は同様に発揮される。
【０１５９】
尚、上記の自己容量型タッチパネルを用いた実施の形態におけるタッチパネル装置において、Ｘ電極２０４とＹ電極２０２とは共に複数の電極で構成されていてもよい。そのタッチパネル装置は、複数のＸ電極２０４のうち交流信号を入力する電極を選択するＸ電極切替スイッチ２１２ａと、Ｙ電極２０２のうち交流信号を入力する電極を選択するＹ電極切替スイッチ２１２ｂと、Ｘ電極切替スイッチ２１２ａおよびＹ電極切替スイッチ２１２ｂを制御する制御回路２１５とを備えた構成であっても良い。つまり、Ｘ電極切替スイッチ２１２ａは、複数のＸ電極２０４の中から、交流信号が入力される電極を選択する機能を有しており、Ｙ電極切替スイッチ２１２ｂは、複数のＹ電極２０２の中から、出力される信号が検出回路２１４において検出される電極を選択する機能を有していれば、上記の自己容量型タッチパネルを用いた実施の形態において説明した効果を発揮する事ができる。
【０１６０】
尚、自己容量型タッチパネルおよび相互容量型タッチパネルを用いた実施の形態に係るタッチパネル装置の第１の電極（駆動電極１０４またはＸ電極２０４）は、任意の位置において第３の電極および第４の電極に分割されている。制御回路（１１５または２１５）は交流信号源（１１０ａ、１１０ｂまたは２１０ａ）から同相または逆相の交流信号を第３の電極および第４の電極に同時または交互に入力するように第１の電極切替スイッチ（駆動電極切替スイッチ１１２ａ、１１２ｂまたはＸ電極切替スイッチ２１２ａ）を制御する構成としてもよい。例えば、図１４に示すタッチパネル装置は、駆動電極１０４がＹ軸上の任意の位置で第３の電極Ｘｎ１と第４の電極Ｘｎ２とに分割されているが、Ｙ軸上に限られる必要はなく、例えば駆動電極１０４の延在する方向がＹ軸方向以外であるタッチパネル装置においても、図１４に示すタッチパネル装置の効果を得る事ができる。また、この構成は、相互容量型タッチパネルだけでなく、自己容量型タッチパネルに適用でき、同様の効果を有する。具体的には、図２４Ａに示す自己容量型タッチパネルを用いた実施の形態において、Ｘ電極２０４がＹ軸方向で任意の位置で第３の電極と第４の電極に分割されており、Ｘ電極切替スイッチ２１２ａが、第３の電極および第４の電極と、交流信号源２１０ａおよび検出回路２１４ａとの電気的な接続状態を決定する構成であっても、図１４に示す分割された電極による効果を同様に発揮することができる。
【０１６１】
尚、自己容量型タッチパネルおよび相互容量型タッチパネルを用いた実施の形態に係るタッチパネル装置の第２の電極（検出電極１０２またはＹ電極２０２）は、任意の位置において第５および第６の電極に分割されていてもよい。この場合には、制御回路（１１５または２１５）は第５の電極および第６の電極から出力される信号を検出回路に入力するように第２の電極切替スイッチを制御する構成としても良い。例えば、図１４に示すタッチパネル装置は、検出電極１０２がＸ軸の方向の任意の位置で第５の電極Ｙｎ１と第６の電極Ｙｎ２とに分割されているが、Ｘ軸の方向に限られる必要はない。例えば検出電極１０２の延在する方向がＸ軸方向以外であるタッチパネル装置においても、図１４に示すタッチパネル装置の有利な効果を得る事ができる。また、この構成は、相互容量型タッチパネルだけでなく、自己容量型タッチパネルを用いたタッチパネル装置にも同様に適用できる。具体的には、図２４Ａに示す自己容量型タッチパネルを用いた実施の形態において、Ｙ電極２０２がＸ軸の方向において任意の位置で第５の電極と第６の電極に分割されてもよい。この場合には、Ｙ電極切替スイッチ２１２ｂが、第５の電極および第６の電極と、交流信号源２１０ｂおよび検出回路２１４ｂとの電気的な接続状態を決定する構成であっても、図１４に示す分割された電極の効果を同様に発揮することができる。
【０１６２】
尚、実施の形態に係るタッチパネル装置においては、便宜上、各電極の形状を長方形状にて図示したが、これに限られる必要はなく、現行のタッチパネル装置において使用されているダイヤモンド形状やバックギャモン形状等の別形状であっても、同様の効果が得られる。
【０１６３】
尚、実施の形態において、「検出対象物がタッチパネルの表面にタッチした際の第１の電極（Ｘ電極）または第２の電極（Ｙ電極）と、グランドと、の間の静電容量の変化を、第１の電極と第２の電極とから出力される信号の変化により検出する」とは、第１の電極とグランドとの間の静電容量の変化または第２の電極とグランドとの間の静電容量の変化を、第１の電極から出力される信号の変化のみから検出回路が検出する場合と、第２の電極から出力される信号の変化のみから検出回路が検出する場合と、第１の電極および第２の電極の両方の電極から出力される信号の変化から検出回路が検出する場合とを含んでいる。例えば図２４Ａに示すタッチパネル装置６では、交流信号源２１０ａからＸ電極２０４（第１の電極）へ交流信号を入力した場合、Ｘ電極２０４から出力される信号の変化からＸ電極２０４とグランドの間の静電容量の変化を検出回路２１４ａが検出しても良いし、Ｙ電極２０２から出力される信号の変化からＹ電極２０２とグランドとの間の静電容量の変化を検出回路２１４ｂが検出しても良い。また、検出回路２１４ａと検出回路２１４ｂにより、Ｘ電極２０４とグランドの間の静電容量の変化とＹ電極２０２とグランドの間の静電容量の変化をそれぞれ検出しても良い。交流信号源２１０ｂからＹ電極２０２（第２の電極）へ交流信号を入力した場合も同様である。
【０１６４】
尚、実施の形態におけるインダクタンス素子とは、交流信号の周波数においてインダクタンス成分を有するチップ部品等を指しており、交流信号源１１０から検出回路１１４までの伝送路を指していない。
【産業上の利用可能性】
【０１６５】
本発明におけるタッチパネル装置は、携帯端末、パーソナルコンピュータ、ＡＴＭ端末などに使用されるタッチパネル装置に広く適用可能である。
【符号の説明】
【０１６６】
１，２，３，６  タッチパネル装置
１００，１２０，１２１，２００，２２１，２２２  タッチパネル
１０２  検出電極（第２の電極）
１０３  ガラス層（絶縁層）
１０４  駆動電極（第１の電極）
１０６  シールド層
１０７  液晶表示素子（画像表示素子）
１１０，１１０ａ，１１０ｂ，２１０ａ，２１０ｂ  交流信号源
１１１，１１１ｂ，１１１−１〜１１１−６，１４０，２１１ａ，２１１ｂ  インダクタンス素子
１１２，１１２ａ，１１２ｂ  駆動電極切替スイッチ（第１の電極切替スイッチ）
１１３，１１３ａ，１１３ｂ  検出電極切替スイッチ（第２の電極切替スイッチ）
１１４，１１４ａ，１１４ｂ，２１４ａ，２１４ｂ  検出回路
１１５，２１５  制御回路
１４１  コンデンサ
２０２  Ｙ電極（第２の電極）
２０４  Ｘ電極（第１の電極）
２１２ａ  Ｘ電極切替スイッチ（第１の電極切替スイッチ）
２１２ｂ  Ｙ電極切替スイッチ（第２の電極切替スイッチ）
Ｘ１〜Ｘ６  駆動電極（第１の電極）
Ｙ１〜Ｙ６  検出電極（第２の電極）
Ｘｍ１（１≦ｍ≦６）  駆動電極（第３の電極）
Ｘｍ２（１≦ｍ≦６）  駆動電極（第４の電極）
Ｙｎ１（１≦ｎ≦６）  検出電極（第３の電極、第５の電極）
Ｙｎ２（１≦ｎ≦６）  検出電極（第４の電極、第６の電極）
ＸＳ１〜ＸＳ６  Ｘ電極（第１の電極）
ＹＳ１〜ＹＳ６  Ｙ電極（第２の電極）
【図１】
2014052997.tif 000009
【図２Ａ】
2014052997.tif 000010
【図２Ｂ】
2014052997.tif 000011
【図２Ｃ】
2014052997.tif 000012
【図２Ｄ】
2014052997.tif 000013
【図２Ｅ】
2014052997.tif 000014
【図３】
2014052997.tif 000015
【図４】
2014052997.tif 000016
【図５Ａ】
2014052997.tif 000017
【図５Ｂ】
2014052997.tif 000018
【図６Ａ】
2014052997.tif 000019
【図６Ｂ】
2014052997.tif 000020
【図７Ａ】
2014052997.tif 000021
【図７Ｂ】
2014052997.tif 000022
【図８】
2014052997.tif 000023
【図９】
2014052997.tif 000024
【図１０】
2014052997.tif 000025
【図１１】
2014052997.tif 000026
【図１２】
2014052997.tif 000027
【図１３】
2014052997.tif 000028
【図１４】
2014052997.tif 000029
【図１５Ａ】
2014052997.tif 000030
【図１５Ｂ】
2014052997.tif 000031
【図１６】
2014052997.tif 000032
【図１７】
2014052997.tif 000033
【図１８】
2014052997.tif 000034
【図１９】
2014052997.tif 000035
【図２０Ａ】
2014052997.tif 000036
【図２０Ｂ】
2014052997.tif 000037
【図２０Ｃ】
2014052997.tif 000038
【図２１】
2014052997.tif 000039
【図２２】
2014052997.tif 000040
【図２３Ａ】
2014052997.tif 000041
【図２３Ｂ】
2014052997.tif 000042
【図２３Ｃ】
2014052997.tif 000043
【図２３Ｄ】
2014052997.tif 000044
【図２４Ａ】
2014052997.tif 000045
【図２４Ｂ】
2014052997.tif 000046
【図２５Ａ】
2014052997.tif 000047
【図２５Ｂ】
2014052997.tif 000048
【図２６】
2014052997.tif 000049
【図２７】
2014052997.tif 000050
【図２８】
2014052997.tif 000051